(57)【特許請求の範囲】
【請求項１】
親機と、該親機と無線通信することによって、該親機の受話器として機能する子機とを含む電話機であって、
上記親機、上記子機、および通話相手が使用する電話機のうち、少なくとも１つに設けられた複数の音声出力部のいずれかの音量が変更されたとき、上記音量が変更された上記音声出力部を示す音声出力部情報と、変更後の音量を示す変更後音量情報とを上記親機の表示部に表示させる音量変更表示部を備え、
上記複数の音声出力部は、上記子機に設けられたハンドセット用音声出力部、および、上記子機に設けられたハンズフリー用音声出力部を含み、
上記子機は、
音量を変更する音量変更操作を受け付ける第１の音量変更操作部と、
上記第１の音量変更操作部が受け付けた音量変更操作の内容に従って、上記ハンドセット用音声出力部または上記ハンズフリー用音声出力部から出力される音声の音量を変更する第１の音量変更部と、をさらに備え、
上記音量変更表示部は、上記第１の音量変更部によって変更された後の音量を示す上記変更後音量情報を上記親機の表示部に表示させることを特徴とする電話機。
【請求項２】
親機と、該親機と無線通信することによって、該親機の受話器として機能する子機とを含む電話機であって、
上記親機、上記子機、および通話相手が使用する電話機のうち、少なくとも１つに設けられた複数の音声出力部のいずれかの音量が変更されたとき、上記音量が変更された上記音声出力部を示す音声出力部情報と、変更後の音量を示す変更後音量情報とを上記親機の表示部に表示させる音量変更表示部を備え、
上記複数の音声出力部は、上記子機に設けられたハンドセット用音声出力部、および、上記子機に設けられたハンズフリー用音声出力部を含み、
上記子機に設けられた上記音声出力部を変更する出力先変更操作を、上記子機が受け付けたとき、変更後の上記音声出力部が、上記ハンドセット用音声出力部であるか、または上記ハンズフリー用音声出力部であるかを示す通知を、上記親機が上記子機から受信する通知受信部をさらに備え、
上記音量変更表示部は、上記通知に応じた上記音声出力部情報を表示させることを特徴とする電話機。
【請求項３】
親機と、該親機と無線通信することによって、該親機の受話器として機能する子機とを含む電話機であって、
上記親機、上記子機、および通話相手が使用する電話機のうち、少なくとも１つに設けられた複数の音声出力部のいずれかの音量が変更されたとき、上記音量が変更された上記音声出力部を示す音声出力部情報と、変更後の音量を示す変更後音量情報とを上記親機の表示部に表示させる音量変更表示部と、
所定の第１の数値範囲内で音量が変更される第１の音量変更モードと、最小値が上記第１の数値範囲の最小値より大きく、最大値が上記第１の数値範囲の最大値より大きい所定の第２の数値範囲内で音量が変更される第２の音量変更モードとの間で、上記電話機のモードを切り替えるモード変更部と、を備え、
上記音量変更表示部は、上記モードが上記第１の音量変更モードであるか、または上記第２の音量変更モードであるかに応じた態様で、上記変更後音量情報を表示させることを特徴とする電話機。
【請求項４】
上記親機は、
音量を変更する音量変更操作を受け付ける第２の音量変更操作部と、
上記第２の音量変更操作部が受け付けた音量変更操作の内容を上記子機に通知する操作通知部と、をさらに備え、
上記子機は、上記操作通知部から通知された音量変更操作の内容に従って、上記ハンドセット用音声出力部または上記ハンズフリー用音声出力部から出力される音声の音量を変更する第２の音量変更部をさらに備え、
上記音量変更表示部は、上記第２の音量変更部によって変更された後の音量を示す上記変更後音量情報を上記親機の表示部に表示させることを特徴とする請求項１または２に記載の電話機。
【請求項５】
上記通話相手が使用する電話機である相手電話機の音声出力部の音量を変更するための音量変更信号を該相手電話機に送信する信号通信部をさらに備えることを特徴とする請求項１から４のいずれか１項に記載の電話機。
【請求項６】
上記信号通信部は、上記音量変更信号に従って変更された、上記相手電話機の音声出力部の変更後の音量を示す変更後音量信号を受信し、
上記音量変更表示部は、上記変更後音量信号に応じた上記変更後音量情報を表示させることを特徴とする請求項５に記載の電話機。
【請求項７】
親機と、該親機と無線通信することによって、該親機の受話器として機能する子機とを含む電話機の制御方法であって、
上記親機、上記子機、および通話相手が使用する電話機のうち、少なくとも１つに設けられた複数の音声出力部のいずれかの音量が変更されたとき、上記音量が変更された上記音声出力部を示す音声出力部情報と、変更後の音量を示す変更後音量情報とを上記親機の表示部に表示させる音量変更表示ステップを含み、
上記複数の音声出力部は、上記子機に設けられたハンドセット用音声出力部、および、上記子機に設けられたハンズフリー用音声出力部を含み、
上記子機は、
音量を変更する音量変更操作を受け付けるステップと、
受け付けた音量変更操作の内容に従って、上記ハンドセット用音声出力部または上記ハンズフリー用音声出力部から出力される音声の音量を変更するステップと、をさらに含み、
上記音量を変更するステップでは、変更された後の音量を示す上記変更後音量情報を上記親機の表示部に表示させることを特徴とする電話機の制御方法。
【請求項８】
親機と、該親機と無線通信することによって、該親機の受話器として機能する子機とを含む電話機の制御方法であって、
上記親機、上記子機、および通話相手が使用する電話機のうち、少なくとも１つに設けられた複数の音声出力部のいずれかの音量が変更されたとき、上記音量が変更された上記音声出力部を示す音声出力部情報と、変更後の音量を示す変更後音量情報とを上記親機の表示部に表示させる音量変更表示ステップを含み、
上記複数の音声出力部は、上記子機に設けられたハンドセット用音声出力部、および、上記子機に設けられたハンズフリー用音声出力部を含み、
上記子機に設けられた上記音声出力部を変更する出力先変更操作を、上記子機が受け付けたとき、変更後の上記音声出力部が、上記ハンドセット用音声出力部であるか、または上記ハンズフリー用音声出力部であるかを示す通知を、上記親機が上記子機から受信するステップをさらに含み、
上記音量変更表示ステップでは、上記通知に応じた上記音声出力部情報を表示させることを特徴とする電話機の制御方法。
【請求項９】
親機と、該親機と無線通信することによって、該親機の受話器として機能する子機とを含む電話機の制御方法であって、
上記親機、上記子機、および通話相手が使用する電話機のうち、少なくとも１つに設けられた複数の音声出力部のいずれかの音量が変更されたとき、上記音量が変更された上記音声出力部を示す音声出力部情報と、変更後の音量を示す変更後音量情報とを上記親機の表示部に表示させる音量変更表示ステップと、
所定の第１の数値範囲内で音量が変更される第１の音量変更モードと、最小値が上記第１の数値範囲の最小値より大きく、最大値が上記第１の数値範囲の最大値より大きい所定の第２の数値範囲内で音量が変更される第２の音量変更モードとの間で、上記電話機のモードを切り替えるステップとを含み、
上記音量変更表示ステップでは、上記モードが上記第１の音量変更モードであるか、または上記第２の音量変更モードであるかに応じた態様で、上記変更後音量情報を表示させることを特徴とする電話機の制御方法。
【発明の詳細な説明】
【技術分野】
【０００１】
本発明は、出力される音声の音量を変更可能な電話機に関する。
【背景技術】
【０００２】
下記の特許文献１に示すように、複数の音声出力デバイス（例えば、レシーバおよびスピーカ）を有する電話機において、通話音声の音量の変更操作を行ったときに、いずれの音声出力デバイスから出力される音声の音量を変更したのかを示す技術が従来技術として知られている。
【０００３】
また近年、親機の受話器を、親機と無線通信可能な子機に置き換えた電話機が知られている。これにより、電話機のユーザは、親機と子機との無線通信が可能な範囲内であれば、通話状態を維持しながら自由に移動することができる。そのため、このような電話機では、通話音声の音量の変更操作を行ったとき、音量の変更対象となる音声出力デバイスを示す表示は子機のみで行われる。
【先行技術文献】
【特許文献】
【０００４】
【特許文献１】特開２００３−１１５９００号公報（２００３年４月１８日公開）
【発明の概要】
【発明が解決しようとする課題】
【０００５】
しかしながら、ユーザは通話時に子機に設けられたレシーバを自身の耳に接触させて使用することが多いため、このような電話機で音量の変更操作を行ったとき、その結果を確認するためには、一旦子機を耳から離す必要があり、不便であった。
【０００６】
本発明は、前記の問題点に鑑みてなされたものであり、その目的は、親機と、親機の受話器として機能する子機とを含む電話機において、複数の音声出力部のうち、どの音声出力部から出力される音声の音量が変更されたのかを、ユーザに容易に認識させることができる電話機を実現することにある。
【課題を解決するための手段】
【０００７】
上記の課題を解決するために、本発明の一態様に係る電話機は、親機と、該親機と無線通信することによって、該親機の受話器として機能する子機とを含む電話機であって、上記親機、上記子機、および通話相手が使用する電話機のうち、少なくとも１つに設けられた複数の音声出力部のいずれかの音量が変更されたとき、上記音量が変更された上記音声出力部を示す音声出力部情報と、変更後の音量を示す変更後音量情報とを上記親機の表示部に表示させる音量変更表示部を備える。
【０００８】
また、上記の課題を解決するために、本発明の一態様に係る電話機の制御方法は、親機と、該親機と無線通信することによって、該親機の受話器として機能する子機とを含む電話機の制御方法であって、上記親機、上記子機、および通話相手が使用する電話機のうち、少なくとも１つに設けられた複数の音声出力部のいずれかの音量が変更されたとき、上記音量が変更された上記音声出力部を示す音声出力部情報と、変更後の音量を示す変更後音量情報とを上記親機の表示部に表示させる音量変更表示ステップを含む。
【発明の効果】
【０００９】
本発明の一態様によれば、親機と、親機の受話器として機能する子機とを含む電話機において、複数の音声出力部のうち、どの音声出力部から出力される音声の音量が変更されたのかを、ユーザに容易に認識させることができるという効果を奏する。
【図面の簡単な説明】
【００１０】
【図１】本発明に係る電話機の親機の要部構成の一例を示すブロック図である。
【図２】本発明に係る電話機の受話子機の要部構成の一例を示すブロック図である。
【図３】図１に示す電話機の親機、および図２に示す受話子機の外観を示す図である。
【図４】図１に示す電話機の親機における画面遷移図であって、本発明の実施形態１の概要を示す画面遷移図である。
【図５】図１に示す電話機の受話子機に記憶されている、音量テーブルのデータ構造の一例を示す図である。
【図６】図１に示す電話機の親機と、図２に示す受話子機との情報のやり取り、および処理の流れの一例を示すシーケンス図である。
【図７】実施形態１に係る電話機が実行する処理の流れの一例を示すフローチャートである。
【図８】図１に示す電話機の親機と、図２に示す受話子機との情報のやり取り、および処理の流れの別の例を示すシーケンス図である。
【図９】図１に示す電話機の親機表示部に表示される画面の別の例を示す図である。
【図１０】図１に示す電話機の親機における画面遷移図であって、本発明の実施形態２の概要を示す画面遷移図である。
【図１１】実施形態２に係る電話機の親機に記憶されている、受話音量テーブルのデータ構造の一例を示す図である。
【図１２】実施形態２に係る電話機が実行する処理の流れの一例を示すフローチャートである。
【図１３】音量レベルのバリエーションを示す図である。
【図１４】図１に示す電話機の親機における画面遷移図であって、実施形態４の概要を示す画面遷移図である。
【図１５】図１５から続く画面遷移図であって、実施形態４の概要を示す画面遷移図である。
【図１６】実施形態４に係る電話機が実行する処理の流れの一例を示すフローチャートである。
【発明を実施するための形態】
【００１１】
〔実施形態１〕
以下、本発明の実施形態１について、図１から図９に基づいて詳細に説明する。
【００１２】
（本発明の外観）
まず、本実施形態に係る電話機１００の外観構成について、図３に基づいて説明する。図３は、電話機１００の外観を示す図である。また、図３の（ａ）は、親機１に受話子機２が載置されている様子を示す図であり、図３の（ｂ）は、親機１から受話子機２を取り外した様子を示す図である。
【００１３】
図示のように、電話機１００は、親機１および受話子機２（子機）を含み、親機１は、親機操作部１２（第２の音量変更操作部）、親機表示部１３（親機の表示部）、およびスピーカ１６を備えている。また、親機１は、図示してはいないがマイク１７を備えている。受話子機２は、ユーザが音声を電話機１００に入力したり、電話機１００が出力する音声を聴取したりするためのものである。すなわち受話子機２は、電話機１００の受話器としての機能を備えたものである。また、本実施形態に係る受話子機２は、上述した機能を実現するためのレシーバ２５（ハンドセット用音声出力部）、スピーカ２６（ハンズフリー用音声出力部）、およびマイク２７の他に、子機操作部２２（第１の音量変更操作部）および子機表示部２３（子機の表示部）を備えている。なお、これらの詳細については後述する。受話子機２は親機１と無線通信することにより、親機が受信した音声信号を取得し、レシーバ２５またはスピーカ２６から音声を出力する。
【００１４】
親機操作部１２は、電話機１００を操作するためのものであり、例えば、ハードウェアキーで構成される。具体的には、親機操作部１２は、通話相手の電話番号を入力するためのテンキー、並びに、シャープ（＃）キーおよびアスタリスク（＊）キーを含むキー群Ｂ０を含む。また、親機操作部１２は、電話機１００が有する機能（換言すれば、電話機１００が実行する処理）が対応付けられているボタンＢ１〜Ｂ５を含む。
【００１５】
なお、本実施形態に係る電話機１００は、ボタンＢ５に、レシーバ２５またはスピーカ２６から出力される通話相手の音声（以下、通話音声）の音量を調整する機能を対応付けている（例えば、図３において左端のボタンＢ５に音量を大きくする機能を対応付け、該ボタンの右隣のボタンＢ５に音量を小さくする機能を対応付けている）。ただし、上述したボタンと音量調整機能との対応付けは一例であり、該機能が対応付けられるボタンはボタンＢ５に限定されない。また以降、ボタンＢ５を音量調整キーと称する場合がある。なお、その他のボタンに対応付けられた機能については後述する。
【００１６】
親機表示部１３は、画像やメッセージを表示するものである。例えば、親機表示部１３は、着番号、通話時間、および、ユーザが音量上キーまたは音量下キーを押下した場合、変更後の音量を示す画像を表示するが、この例に限定されるものではない。親機表示部１３としては、例えば、ＬＣＤ（Liquid Crystal Display；液晶ディスプレイ）や、有機ＥＬ（electroluminescence）ディスプレイなどを適用することが可能である。
【００１７】
スピーカ１６は、電話機１００を用いた通話の音声を出力可能な音声出力デバイスであって、ユーザが受話子機２を使用せずに、出力される音声（通話音声）を聞くことを想定した音声出力デバイスである。また、マイク１７は、電話機１００の周囲で発せられた音声を取得する音声入力デバイスである。
【００１８】
子機操作部２２は、親機操作部１２と同様に、電話機１００を操作するためのものであり、例えばハードウェアキーで構成される。具体的には、子機操作部２２は、上述したキー群Ｂ０相当するテンキー、シャープ（＃）キーおよびアスタリスク（＊）キーの他、電話機１００が有する機能が対応付けられた複数のボタンを含む。例えば、十字形状のボタンｂ１には、通話音声の音量を調整する機能が対応付けられている。具体的には、図３に示すボタンｂ１の上側部分に音量を大きくする機能が、下側部分に音量を小さくする機能が対応付けられている。すなわち、本実施形態に係る電話機１００のユーザは子機操作部２２に含まれるボタンｂ１を操作することによっても、通話音声の音量を調整することができる。なお以降、ボタンｂ１を音量調整キーと称する場合がある。
【００１９】
子機表示部２３は、親機表示部１３と同様に、画像やメッセージを表示するものである。例えば、親機表示部１３は、着番号、通話時間、および、ユーザが音量上キーまたは音量下キーを押下した場合、変更後の音量を示す画像を表示するが、この例に限定されるものではない。親機表示部１３としては、例えば、ＬＣＤ（Liquid Crystal Display；液晶ディスプレイ）や、有機ＥＬ（electroluminescence）ディスプレイなどを適用することが可能である。
【００２０】
レシーバ２５は、電話機１００を用いた通話の音声を出力可能な音声出力デバイスであって、ユーザが自身の耳を受話子機２（レシーバ２５）に近接させた状態で、出力される音声（通話音声）を聞くことを想定した音声出力デバイスである。スピーカ２６は、電話機１００を用いた通話の音声を出力可能な音声出力デバイスであって、ユーザが自身の耳を受話子機２（レシーバ２５）から離した状態で、出力される音声（通話音声）を聞くことを想定した音声出力デバイスである。また、マイク２７は、受話子機２の周囲で発せられた音声を取得する音声入力デバイスである。
【００２１】
すなわち本実施形態に係る電話機１００は、レシーバ２５から通話音声を出力するモード（以下、ＥＰモード）と、スピーカ２６から通話音声を出力するモード（以下、ＳＰモード）とを有し、ユーザ操作によってこれら２つのモードを切り替え可能な構成である。本実施形態に係る電話機１００では、これら２つのモードの切り替え機能は、ボタンｂ２に対応付けられている。ユーザは、ＥＰモード時にボタンｂ２を押下することで、電話機１００のモードをＳＰモードに変更することができる。また、ＳＰモード時にボタンｂ２を押下することで、電話機１００のモードをＥＰモードに変更することができる。なお以降、ボタンｂ２を音声出力モード切替キーと称する場合がある。
【００２２】
また、電話機１００は、上記ＥＰモードおよびＳＰモードの他に、スピーカ１６から通話音声を出力するモード（以下、親機ＳＰモード）を有している。本実施形態に係る電話機１００では、該モードを有効にする機能はボタンＢ４に対応付けられている。ユーザは、着呼時または通話時にボタンＢ４を押下することで、通話音声を出力する音声出力デバイスをスピーカ１６とすることができる。例えば着呼時にボタンＢ４を押下すれば、受話子機２を持ち上げる（オフフックとする）ことなく、相手との通話を開始することができる。
【００２３】
（本発明の概要）
次に、本発明の概要について図４を参照して説明する。図４は、本発明の概要を示す画面遷移図である。
【００２４】
図４の（ａ）は、ＥＰモードでの通話中に、親機表示部１３に表示される画面を示す図である。図示のように、該画面には、通話中を示すテキスト「通話中」と、通話相手の電話番号と、通話時間とが表示されているが、通話中に親機表示部１３に表示される画面はこの例に限定されない。
【００２５】
ＥＰモードでの通話中、すなわち図４の（ａ）に示す画面が表示された状態で、電話機１００のユーザが音量調整キーを押下する（音量変更操作を行う）と、押下されたボタンに従ってレシーバ２５から出力される通話音声の音量が大きく、または小さくなる。電話機１００は、この処理とともに、音量の変更を示す画面（以下、音量変更画面）を親機表示部１３に表示させる。図４の（ｂ）は該画面を示す図である。
【００２６】
図４の（ｂ）に示すように、ＥＰモードでの音量変更画面は、「受話音量」と記載されたテキスト３１（音声出力部情報）と、変更後の音量を示す音量レベル３２（変更後音量情報）とを含む。図４の（ｂ）に示す音量レベル３２は、レシーバ２５から出力される通話音声の音量を示す画像である。また、本実施形態に係る電話機１００は、親機表示部１３にテキスト３１を表示させることにより、レシーバ２５から出力される通話音声の音量を変更したことをユーザに認識させることができる。
【００２７】
一方、ＥＰモードでの通話中、すなわち図４の（ａ）に示す画面が表示された状態で、電話機１００のユーザが音声出力モード切換キーを押下すると、ＳＰモードに切り替わり、通話音声がスピーカ２６から出力される。電話機１００は、この処理とともに、親機表示部１３に電話機１００の現在の音声出力モードがＳＰモードであることを示すピクト３３を表示させる（図４の（ｃ）参照）。
【００２８】
ＳＰモードでの通話中、すなわち図４の（ｃ）に示す画面が表示された状態で、電話機１００のユーザが音量調整キーを押下すると、押下されたボタンに従って、スピーカ２６から出力される通話音声の音量が大きく、または小さくなる。電話機１００は、この処理とともに、図４の（ｄ）に示す音量変更画面を親機表示部１３に表示させる。
【００２９】
図４の（ｄ）に示すように、ＳＰモードでの音量変更画面は、「スピーカ音量」と記載されたテキスト３４と、変更後の音量を示す音量レベル３２と、ピクト３３とを含む。図４の（ｄ）に示す音量レベル３２は、スピーカ２６から出力される通話音声の音量を示す画像である。また、本実施形態に係る電話機１００は、親機表示部１３にテキスト３４を表示させることにより、スピーカ２６から出力される通話音声の音量を変更したことをユーザに認識させることができる。
【００３０】
なお、図４の（ｄ）において、ピクト３３を表示させることは必須ではない。ピクト３３が表示されない構成であっても、ＳＰモードにおける音量変更画面には、「スピーカ音量」と記載されたテキスト３４が表示されるため、ユーザは変更された音量がスピーカ２６から出力される通話音声の音量であることを認識することができる。
【００３１】
以上のように、本発明に係る電話機１００は、通話音声の音量を変更させる操作を受け付けたとき、現在の音量出力モードに応じたテキスト（音声出力部情報）を親機表示部１３に表示させる。換言すれば、電話機１００は、通話音声の音量を変更させる操作を受け付けたとき、音量の変更対象となる音声出力デバイスが、レシーバ２５であるか、またはスピーカ２６であるかを特定し、特定された音声出力デバイスをユーザが認識可能なテキストを親機表示部１３に表示させる。これにより、ユーザは、いずれの音声出力デバイスから出力される通話音声の音量が変更されたのかを認識することができる。
【００３２】
なお、図４に示す各画面は、子機表示部２３にも表示されてもよい。また、子機表示部２３に表示される画面は、図４に示す各画面と同内容の画面であれば、図４に示す画面と異なっていてもよい。ただし音量変更画面は、少なくとも、音声を出力している音声出力デバイスを特定する情報（テキスト）と、変更後の音量を示す情報（音量レベル）とを含む。
【００３３】
また、図示の音量レベル３２において、白抜きの四角形で示した部分（すなわち、現在の音量レベルより大きい音量レベルを示す部分）については、本実施形態の音量レベルが５段階であることを示すためのものである。そのため、音量レベル３２は、音量レベルが最大でない場合に、白抜きの四角形が表示されるものに限定されない。すなわち、音量レベル３２は、音量レベルが最大でない場合に、白抜きの四角形が表示されない構成であってもよい。
【００３４】
（親機１の要部構成）
次に、親機１の要部構成について、図１に基づいて説明する。図１は、親機１の要部構成の一例を示すブロック図である。
【００３５】
図１に示すように、親機１は、親機１の各部を統括して制御する親機制御部１０、交換機３および電話回線網（不図示）との間で音声信号をやり取りする送受信部１１、親機１にて使用する各種データを記憶する親機記憶部１４、受話子機２との間で各種信号をやり取りする親機通信部１５、並びに、上述した親機操作部１２、親機表示部１３、スピーカ１６およびマイク１７を備えている。なお、親機操作部１２、親機表示部１３、スピーカ１６およびマイク１７については、既に説明しているためここでの説明を省略する。
【００３６】
そして、親機制御部１０は、通信制御部１０１、変更部１０２、表示制御部１０３（第１の音量変更表示部）、および音声入出力制御部１０４を含んでいる。また、親機記憶部１４は、現行モード１４１、スピーカ音量テーブル１４２、子機音量レベル１４３、および表示データ１４４を少なくとも記憶している。
【００３７】
なお図１では、図面を見やすくすることを目的として、受話子機２から取得した情報の流れを破線の矢印で示している。
【００３８】
通信制御部１０１は、親機１と受話子機２との通信、および親機１と交換機３との通信を制御する。通信制御部１０１は、音声信号通信部１１１および処理信号通信部１１２（操作通知部、通知受信部、信号通信部）を含んでいる。
【００３９】
音声信号通信部１１１は、交換機３から音声信号を受信すると、現行モード１４１を読み出し、電話機１００の現在の音声出力モードを確認する。現行モード１４１は、現在の音声出力モードを示す情報であり、例えば、各音声出力モード（すなわちＥＰモード、ＳＰモード、親機ＳＰモード）を示す情報のいずれかに、有効な音声出力モードを示すフラグを対応付けた情報である。音声信号通信部１１１は、現在の音声出力モードがＥＰモードまたはＳＰモードである場合、受信した音声信号を、親機通信部１５を介して受話子機２に送信する。これにより、受話子機２は該音声信号に基づく通話音声を出力することができる。一方、音声信号通信部１１１は、現在の音声出力モードが親機ＳＰモードである場合、受信した音声信号を、音声入出力制御部１０４に出力する。これにより、スピーカ１６から該音声信号に基づく通話音声が出力される。また、音声信号通信部１１１は、受話子機２から受信した音声信号、および、音声入出力制御部１０４から取得した音声信号を、親機通信部１５を介して取得し、送受信部１１を介して交換機３に送信する。これにより、親機１は電話機１００のユーザが発した音声に基づく音声信号を、通話相手の電話機に送信することができる。
【００４０】
処理信号通信部１１２は、親機１が生成した各種信号（以下、処理信号）を、親機通信部１５を介して受話子機２に送信する。該処理信号の具体例としては、音声出力モードの切り替え操作に応じて生成された、切り替え後の音声出力モードを示す通知（以下、モード通知）、通話音声の音量の変更操作に応じて生成された、該変更操作の内容（音量を大きくするキーと、音量を小さくするキーとのいずれが押下されたか）を示す通知（以下、キー押下通知）と、受話子機２から受信したキー押下通知に従って、通話音声の音量を示す情報を更新したことを受話子機２に通知するためのＡＣＫ（acknowledge）通知などが挙げられるが、この例に限定されるものではない。なお、処理信号通信部１１２は、上述した３つの処理信号を、変更部１０２から取得する。また、処理信号通信部１１２は、受話子機２が生成した各種処理信号を、親機通信部１５を介して、受話子機２から受信する。該処理信号の具体例としては、上述したモード通知、キー押下通知、およびＡＣＫ通知が挙げられるが、この例に限定されるものではない。なお、モード通知には、現在の音声出力モードにおける音声出力の音量を示す音量レベルが含まれている。処理信号通信部１１２は、モード通知を受信すると、該通知を変更部１０２に出力するとともに、音量レベルを親機記憶部１４に記憶する（図示の子機音量レベル１４３）。換言すれば、子機音量レベル１４３は、電話機１００の音声出力モードをＥＰモードまたはＳＰモードに変更した時点での、レシーバ２５またはスピーカ２６から出力される音声の音量を示す情報である。一方、処理信号通信部１１２は、キー押下通知およびＡＣＫ通知を受信すると、該通知を変更部１０２に出力する。なお、子機音量レベル１４３は、親機表示部１３への音量変更画面の表示において、変更後の音量レベルを特定するために使用する情報である。換言すれば、子機音量レベル１４３は、受話子機２から出力される通話音声の音量レベルを変更するために使用される情報ではない。
【００４１】
また、処理信号通信部１１２は、モード通知を親機通信部１５またはモード変更部１２１から取得したとき、該通知を音声信号通信部１１１に出力してもよい。これにより、音声信号通信部１１１は、音声信号を受信する度に現行モード１４１を確認せずとも、音声信号を受話子機２に送信するか、または音声入出力制御部１０４に出力するかを決定することができる。
【００４２】
変更部１０２は、親機操作部１２が受け付けたユーザ操作を示す操作信号、または、受話子機２から受信した処理信号に基づき、電話機１００の音声出力モード、または、通話音声の音量を示す情報を更新する。変更部１０２は、モード変更部１２１、モード特定部１２２、および音量変更部１２３を含んでいる。変更部１０２は、親機操作部１２から音量調整キーが押下されたことを示す操作信号を取得すると、キー押下通知を処理信号通信部１１２に出力するとともに、いずれの音量調整キーが押下されたかを示す情報（キー押下情報）を一時的に保持しておく。
【００４３】
モード変更部１２１は、親機操作部１２から取得した操作信号、または、処理信号通信部１１２から取得した処理信号（換言すれば、受話子機２から取得した処理信号）に基づき、電話機１００の音声出力モードを切り替える。具体的には、モード変更部１２１は、親機操作部１２または処理信号通信部１１２から音声出力モード切替キーが押下された（出力先変更操作が行われた）ことを示す信号を取得すると、現行モード１４１を読み出し、音声出力モードを切り替える。換言すれば、モード変更部１２１は、現行モード１４１においてフラグが対応付けられている音声出力モードを示す情報を切り替える。そして、モード変更部１２１は、操作信号に基づいて音声出力モードを変更した場合、有効となった音声出力モードを示すモード通知を処理信号通信部１１２および表示制御部１０３に出力する。一方、処理信号に基づいて音声出力モードを変更した場合、有効となった音声出力モードを示すモード通知を表示制御部１０３のみに出力する。
【００４４】
モード特定部１２２は、処理信号通信部１１２からキー押下通知またはＡＣＫ通知を取得したとき、現在の音声出力モードを特定する。換言すれば、モード特定部１２２は、音量の変更対象となる音声出力デバイスを特定する。具体的には、モード特定部１２２は、処理信号通信部１１２からキー押下通知またはＡＣＫ通知を取得すると、現行モード１４１を読み出し、現在の音声出力モードを特定する。そして、モード特定部１２２は、特定した音声出力モードを示すモード通知（ＥＰモード、ＳＰモード、または親機ＳＰモードを示すモード通知）を音量変更部１２３に出力する。なお、モード特定部１２２は、キー押下通知を取得している場合、モード通知とともにキー押下通知を音量変更部１２３に出力する。
【００４５】
音量変更部１２３は、親機操作部１２から取得した操作信号、または、処理信号通信部１１２から取得した（換言すれば、受話子機２から取得した）キー押下通知またはＡＣＫ通知に基づき、通話音声の現在の音量レベルを変更する。具体的には、音量変更部１２３は、モード特定部１２２から取得したモード通知がＥＰモードまたはＳＰモードを示す通知である場合、子機音量レベル１４３を読み出す。一方、該モード通知が親機ＳＰモードを示す通知である場合、スピーカ音量テーブル１４２を読み出す。なお、スピーカ音量テーブル１４２の具体的なデータ構造については後述する。そして、音量変更部１２３は、読み出した子機音量レベル１４３またはスピーカ音量テーブル１４２が示す、通話音声の現在の音量レベルを、モード特定部１２２から取得したキー押下通知、または、変更部１０２が保持しているキー押下情報に基づいて更新する。すなわち、キー押下通知またはキー押下情報が、音量を大きくするキーが押下されたことを示している場合、音量レベルを１段階上げる。一方、キー押下通知またはキー押下情報が、音量を小さくするキーが押下されたことを示している場合、音量レベルを１段階下げる。そして、音量変更部１２３は、子機音量レベル１４３およびスピーカ音量テーブル１４２のうち、いずれを更新したかを示す通知（以下、更新通知）と、モード特定部１２２から取得したモード通知とを表示制御部１０３に出力する。また、音量変更部１２３は、キー押下通知の取得に応じて音量レベルを変更した場合、ＡＣＫ通知を生成して処理信号通信部１１２に出力する。これにより、ＡＣＫ通知が受話子機２に送信される。なお、音量変更部１２３の処理の詳細については、後述する音量変更部２２３と同様であるため、ここでの説明を省略する。
【００４６】
表示制御部１０３は、親機表示部１３に表示される画面を制御する。具体的には、表示制御部１０３は、音量変更部１２３から更新通知およびモード通知を取得すると、該更新通知に従ってスピーカ音量テーブル１４２または子機音量レベル１４３を読み出す。そして、読み出した情報から現在の（換言すれば、変更後の）音量レベルを特定する。そして、表示制御部１０３は、モード通知から親機表示部１３に表示させるテキスト（図４に示すテキスト３１またはテキスト３４）を特定し、表示データ１４４から特定したテキストを読み出す。具体的には、モード通知がＥＰモードを示している場合、表示制御部１０３はテキスト３１を読み出す。一方、モード通知がＳＰモードまたは親機ＳＰモードを示している場合、表示制御部１０３はテキスト３４を読み出す。また、表示データ１４４から、特定した音量レベルに応じた音量レベル３２（図４参照）を読み出す。そして、表示制御部１０３は、読み出したテキストおよび音量レベル３２から表示画面を生成し、親機表示部１３に表示させる。なお、表示データ１４４は、親機表示部１３に表示させる画面を生成するためのテキスト、画像などである。
【００４７】
また、表示制御部１０３は、モード変更部１２１からモード通知を取得すると、該モード通知が示す音声出力モードに従って、ピクト３３（図４参照）を表示または非表示とする。具体的には、モード通知が示すモードがＥＰモードである場合、ピクト３３を非表示とする。一方、モード通知が示すモードがＳＰモードまたは親機ＳＰモードである場合、ピクト３３を親機表示部１３に表示させる。
【００４８】
（受話子機２の要部構成）
次に、電話機１００の受話子機２の要部構成について、図２に基づいて説明する。図２は、受話子機２の要部構成の一例を示すブロック図である。
【００４９】
図２に示すように、受話子機２は、受話子機２の各部を統括して制御する子機制御部２０、電話機１００の親機との間で各種信号をやり取りする子機通信部２１、受話子機２にて使用する各種データを記憶する子機記憶部２４、並びに、上述した子機操作部２２、子機表示部２３、レシーバ２５、スピーカ２６、およびマイク２７を備えている。
【００５０】
そして、子機制御部２０は、通信制御部２０１、変更部２０２、表示制御部２０３（第２の音量変更表示部）、および音声入出力制御部２０４を含んでいる。また、子機記憶部２４は、現行モード２４１、スピーカ音量テーブル２４２、受話音量テーブル２４３、および表示データ２４４を少なくとも記憶している。なお、現行モード２４１は、上述した現行モード１４１と同様であるため、ここでの説明を省略する。
【００５１】
なお図２では、図面を見やすくすることを目的として、親機１から取得した情報の流れを破線の矢印で示している。
【００５２】
通信制御部２０１は、受話子機２と親機１との通信を制御する。通信制御部２０１は、音声信号通信部２１１および処理信号通信部２１２を含んでいる。
【００５３】
音声信号通信部２１１は、子機通信部２１を介して、親機１から取得した音声信号を音声入出力制御部２０４に出力する。これにより、受話子機２は該音声信号に基づく通話音声を出力することができる。また、音声信号通信部２１１は、音声入出力制御部２０４から取得した音声信号を、子機通信部２１を介して親機１に送信する。これにより、親機１は電話機１００のユーザが発した音声に基づく音声信号を、通話相手の電話機に送信することができる。
【００５４】
処理信号通信部２１２は、受話子機２が生成した各種処理信号を、子機通信部２１を介して親機１に送信する。該処理信号の具体例としては、上述したモード通知、キー押下通知、およびＡＣＫ通知が挙げられるが、この例に限定されるものではない。なお、処理信号通信部２１２は、上述した３つの処理信号を、変更部２０２から取得する。また、処理信号通信部２１２は、親機１が生成した各種処理信号を、子機通信部２１を介して、親機１から受信する。該処理信号の具体例としては、キー押下通知、およびＡＣＫ通知が挙げられるが、この例に限定されるものではない。処理信号通信部２１２は、キー押下通知およびＡＣＫ通知を受信すると、該通知を変更部２０２に出力する。
【００５５】
変更部２０２は、子機操作部２２が受け付けたユーザ操作を示す操作信号、または、親機１から受信した処理信号に基づき、電話機１００の音声出力モード、または、通話音声の音量を示す情報を更新する。変更部２０２は、モード変更部２２１、モード特定部２２２、および音量変更部２２３（第１の音量変更部、第２の音量変更部）を含んでいる。変更部１０２は、子機操作部２２から音量調整キーが押下されたことを示す操作信号を取得すると、キー押下通知を処理信号通信部２１２に出力するとともに、いずれの音量調整キーが押下されたかを示す情報（キー押下情報）を一時的に保持しておく。
【００５６】
モード変更部２２１は、子機操作部２２から取得した操作信号に基づき、電話機１００の音声出力モードを切り替える。具体的には、モード変更部２２１は、子機操作部２２から音声出力モード切替キーが押下されたことを示す信号を取得すると、現行モード２４１を読み出し、音声出力モードを切り替える。そして、モード変更部２２１は、操作信号に基づいて音声出力モードを変更した場合、有効となった音声出力モードを示すモード通知を処理信号通信部２１２および表示制御部２０３に出力する。
【００５７】
モード通知が処理信号通信部２１２に出力されることにより、親機１にモード通知が送信されることとなる。これにより、親機１は、受話子機２対する操作（音声出力モード切替キーの押下）で音声出力モードが変更された場合であっても、現在の音声出力モードを把握することができる。
【００５８】
モード特定部２２２は、処理信号通信部２１２からキー押下通知またはＡＣＫ通知を取得したとき、現在の音声出力モードを特定する。換言すれば、モード特定部２２２は、音量の変更対象となる音声出力デバイスを特定する。具体的には、モード特定部２２２は、処理信号通信部１１２からキー押下通知またはＡＣＫ通知を取得すると、現行モード２４１を読み出し、現在の音声出力モードを特定する。そして、モード特定部２２２は、特定した音声出力モードを示すモード通知（ＥＰモードまたはＳＰモードを示すモード通知）を音量変更部２２３に出力する。なお、モード特定部２２２は、キー押下通知を取得している場合、モード通知とともにキー押下通知を音量変更部２２３に出力する。
【００５９】
音量変更部２２３は、子機操作部２２から取得した操作信号、または、処理信号通信部２１２から取得した（換言すれば、親機１から取得した）キー押下通知またはＡＣＫ通知に基づき、通話音声の現在の音量レベルを変更する。具体的には、音量変更部２２３は、モード特定部２２２から取得したモード通知がＥＰモードを示す通知である場合、受話音量テーブル２４３を読み出す。また、取得したモード通知がＳＰモードを示す通知である場合、スピーカ音量テーブル２４２を読み出す。
【００６０】
ここで、スピーカ音量テーブル２４２および受話音量テーブル２４３の詳細について、図５に基づいて説明する。図５の（ａ）はスピーカ音量テーブル２４２のデータ構造の一例を示す図であり、図５の（ｂ）は受話音量テーブル２４３のデータ構造の一例を示す図である。なお、図５の（ａ）および（ｂ）に示すテーブルは一例であり、スピーカ音量テーブル２４２および受話音量テーブル２４３はこの例に限定されるものではない。
【００６１】
図５の（ａ）および（ｂ）に示すように、スピーカ音量テーブル２４２および受話音量テーブル２４３は、音量のレベルを示す数値に、実際の音量値が対応付けられており、現在の音量のレベルを示す数値にはさらに、その旨を示すフラグが対応付けられている。例えば、図示の例では現在のスピーカ音量レベルは「３」であり、現在の受話音量レベルは「２」である。なお、音量のレベル数（図示の例では５段階）、各音量のレベルに対応付けられた音量値は図示の例に限定されるものではない。また、上述したスピーカ音量テーブル１４２のデータ構造は、スピーカ音量テーブル２４２と同様である。ただし、スピーカ音量テーブル１４２の音量のレベル数（図示の例では５段階）、各音量のレベルに対応付けられた音量値は、スピーカ音量テーブル１４２と同じでなくてもよい。
【００６２】
音量変更部２２３は、音量テーブルを読み出した場合、読み出した音量テーブルにおいて、フラグが対応付けられた音量レベルを特定する。そして、モード特定部１２２から取得したキー押下通知、または、変更部１０２が保持しているキー押下情報に基づいて、フラグが対応付けられた音量レベルを変更する。例えば、現在の音声出力モードがＥＰモードであり、現在の受話音量レベルが図５の（ｂ）に示すように「２」である場合において、キー押下通知またはキー押下情報が音量を大きくすることを示している場合、音量変更部１２３は、受話音量レベル「２」に対応付けられたフラグを、受話音量レベル「３」に新たに対応付ける（図示の例では、「○」が受話音量レベル「３」のレコードに移動する）。
【００６３】
そして、音量変更部２２３は、スピーカ音量テーブル２４２、および受話音量テーブル２４３のうち、いずれを更新したかを示す更新通知を表示制御部２０３に出力する。また、音量変更部２２３は、キー押下通知の取得に応じて音量レベルを変更した場合、ＡＣＫ通知を生成して処理信号通信部２１２に出力する。これにより、ＡＣＫ通知が親機１に送信される。
【００６４】
表示制御部２０３は、子機表示部２３に表示される画面を制御する。具体的には、表示制御部２０３は、音量変更部２２３から更新通知を取得すると、該更新通知に従ってスピーカ音量テーブル２４２、または受話音量テーブル２４３を読み出す。そして、読み出した情報から現在の（換言すれば、変更後の）音量レベルを特定する。そして、表示制御部２０３は、更新通知から子機表示部２３に表示させるテキスト（図４に示すテキスト３１またはテキスト３４）を特定し、表示データ２４４から特定したテキストを読み出す。具体的には、更新通知が受話音量テーブル２４３を更新したことを示している場合、現在の音声出力モードはＥＰモードであるので、表示制御部２０３はテキスト３１を読み出す。一方、更新通知がスピーカ音量テーブル２４２を更新したことを示している場合、現在の音声出力モードはＳＰモードであるので、表示制御部２０３はテキスト３４を読み出す。また、表示データ２４４から、特定した音量レベルに応じた音量レベル３２（図４参照）を読み出す。そして、表示制御部２０３は、読み出したテキストおよび音量レベル３２から表示画面を生成し、子機表示部２３に表示させる。
【００６５】
また、表示制御部２０３は、モード変更部２２１からモード通知を取得すると、該モード通知が示す音声出力モードに従って、ピクト３３（図４参照）を表示または非表示とする。具体的には、モード通知が示すモードがＥＰモードである場合、ピクト３３を非表示とする。一方、モード通知が示すモードがＳＰモードである場合、ピクト３３を子機表示部２３に表示させる。
【００６６】
音声入出力制御部２０４は、受話子機２からの音声出力および受話子機２への音声入力を制御する。具体的には、音声入出力制御部２０４は、音声信号通信部２１１から音声信号を取得すると、該音声信号を音声データに変換する。そして、現行モード２４１を読み出し、現在の音声出力モードを特定する。そして、特定した音声出力モードに応じた音量テーブルを読み出す。具体的には、現在の音声出力モードがＥＰモードであると特定した場合、受話音量テーブル２４３を読み出す。一方、現在の音声出力モードがＳＰモードであると特定した場合、スピーカ音量テーブル２４２を読み出す。
【００６７】
そして、音声入出力制御部２０４は、読み出した音量テーブルから現在の音量レベルを特定し、特定した音量レベルに対応付けられている音量値で、音声データに基づく音声を出力させる。このとき、現在の音声出力モードがＥＰモードである場合、該音声をレシーバ２５から出力させる。一方、現在の音声出力モードがＳＰモードである場合、該音声をスピーカ２６から出力させる。
【００６８】
また、音声入出力制御部２０４は、マイク２７から取得した音声データを音声信号に変換し、音声信号通信部２１１に出力する。
【００６９】
なお、音声入出力制御部２０４は、変更部２０２から、現行モード２４１、スピーカ音量テーブル２４２、および受話音量テーブル２４３が更新されるたびに、現在の音声出力モードおよび現在の音声レベルを示す通知を取得する構成であってもよい。これにより、音声入出力制御部２０４は、音声信号を取得する度に現在の音声出力モードおよび現在の音声レベルを確認せずとも、現在の音声出力モードおよび現在の音声レベルを認識することができる。
【００７０】
（親機１と受話子機２との情報のやり取り）
次に、親機１と受話子機２との情報のやり取りについて、図６に基づいて説明する。図６は、親機１と、受話子機２との情報のやり取り、および処理の流れの一例を示すシーケンス図である。本シーケンス図では、通話音声を出力する音声出力デバイスを、レシーバ２５からスピーカ２６に変更する場合の流れを示す。
【００７１】
まず、着呼時にユーザが受話子機を取る（オフフックする）と、通話が開始する。この場合、受話子機２（具体的には、変更部２０２）は、ＥＰモードを示すモード通知と、受話音量テーブル２４３から特定可能である、レシーバ２５から出力される現在の通話音声の音量レベルを示す情報（以下、単に「受話音量レベル」と称する）とを処理信号通信部２１２に出力する。また、モード変更部２２１は、現行モード２４１をＥＰモードとする。
【００７２】
処理信号通信部２１２は、取得したモード通知および受話音量レベルを、子機通信部２１を介して親機１に送信する。これにより、親機１は、受話子機２の音声出力モードがＥＰモードであること、および、通話開始時点での受話音量レベルを認識することができる。親機１の処理信号通信部１１２は、受信した受話音量レベルを、子機音量レベル１４３として親機記憶部１４に記憶する。また、モード変更部１２１は、受信したモード通知に従って、現行モード１４１をＥＰモードとする。
【００７３】
続いて、親機１の音量調整キーのうち、音量を上げるキーが押下されたとする。このとき、親機１の変更部１０２は、取得した操作信号に基づいて音量を上げるキーが押下されたことを示すキー押下通知を生成し、処理信号通信部１１２に出力する。処理信号通信部１１２は、取得したキー押下通知を、親機通信部１５を介して受話子機２に送信する。
【００７４】
受話子機２の処理信号通信部２１２は、受信したキー押下通知をモード特定部２２２に出力する。モード特定部２２２は、現在の音声出力モードをＥＰモードと特定し、ＥＰモードを示すモード通知、および、受信したキー押下通知を音量変更部２２３に出力する。音量変更部２２３は、取得したモード通知に応じたテーブル（この例では受話音量テーブル２４３）を読み出し、取得したキー押下通知が示す操作内容に従って、音量レベルを変更する（この例の場合、音量レベルを１段階上げる）。そして、更新通知を表示制御部２０３に出力するとともに、ＡＣＫ通知を処理信号通信部２１２に出力する。
【００７５】
続いて、表示制御部２０３は、取得した更新通知に基づいて、音声出力モードがＥＰモードであること、および、変更後の音量レベルを特定し、音量変更画面を生成して子機表示部２３に表示させる。また、処理信号通信部２１２は、取得したＡＣＫ通知を親機１に送信する。
【００７６】
ＡＣＫ通知を受信した親機１の処理信号通信部１１２は、該ＡＣＫ通知をモード特定部１２２に出力する。モード特定部１２２は、現在の音声出力モードをＥＰモードと特定し、ＥＰモードを示すモード通知、および、受信したＡＣＫ通知を音量変更部１２３に出力する。音量変更部１２３は、子機音量レベル１４３を読み出し、変更部１０２が保持していたキー押下情報が示す操作内容に従って、音量変更画面の表示のために、音量レベルを変更する（この例の場合、音量レベルを１段階上げる）。そして、更新通知および取得したモード通知を表示制御部１０３に出力する。
【００７７】
続いて、表示制御部１０３は、取得したモード通知に基づいて、音声出力モードがＥＰモードであることを特定する。また、表示制御部１０３は、取得した更新通知に基づいて、変更後の音量レベルを特定する。表示制御部１０３は、特定したこれらの情報を用いて音量変更画面を生成して親機表示部１３に表示させる。
【００７８】
以上により、親機１と受話子機２との両方において、ＥＰモードにおける音量レベル（レシーバ２５から出力される通話音声の音量レベル）が１段階大きくなったことが認識され、ＥＰモードにおける音量レベルが１段階大きくなったことを示す音量変更画面が表示される。
【００７９】
続いて、受話子機２の音声出力モード切替キーが押下されたとする。このとき、受話子機２のモード変更部２２１は、現行モードをＥＰモードからＳＰモードへ変更する。これにより、通話音声の出力先がスピーカ２６に変更される。また、モード変更部２２１は、ＳＰモードを示すモード通知を表示制御部２０３および処理信号通信部２１２に出力する。さらに、変更部２０２が、スピーカ音量テーブル２４２から特定可能である、スピーカ２６から出力される現在の通話音声の音量レベルを示す情報（以下、単に「スピーカ音量レベル」と称する）を処理信号通信部２１２に出力する。表示制御部２０３は、取得したモード通知に応じて、スピーカピクト（図４に示すピクト３３）を子機表示部２３に表示させる。
【００８０】
処理信号通信部２１２は、取得したモード通知およびスピーカ音量レベルを、子機通信部２１を介して親機１に出力する。親機１の処理信号通信部１１２は、子機音量レベル１４３を受信したスピーカ音量レベルに更新する。また、モード変更部１２１は、受信したモード通知に従って、現行モード１４１をＳＰモードに変更するとともに、受信したモード通知を表示制御部１０３に出力する。表示制御部１０３は、取得したモード通知に応じて、スピーカピクト（図４に示すピクト３３）を子機表示部２３に表示させる。
【００８１】
続いて、受話子機２の音量調整キーのうち、音量を下げるキーが押下されたとする。このとき、受話子機２の変更部２０２は、取得した操作信号に基づいて音量を下げるキーが押下されたことを示すキー押下通知を生成し、処理信号通信部２１２に出力する。処理信号通信部２１２は、取得したキー押下通知を、子機通信部２１を介して親機１に送信する。
【００８２】
親機１の処理信号通信部１１２は、受信したキー押下通知をモード特定部１２２に出力する。モード特定部１２２は、現在の音声出力モードをＳＰモードと特定し、ＳＰモードを示すモード通知、および、受信したキー押下通知を音量変更部１２３に出力する。音量変更部１２３は、子機音量レベル１４３を読み出し、取得したキー押下通知が示す操作内容に従って、音量変更画面の表示のために、音量レベルを変更する（この例の場合、音量レベルを１段階下げる）。そして、更新通知および取得したモード通知を表示制御部１０３に出力するとともに、ＡＣＫ通知を処理信号通信部１１２に出力する。
【００８３】
続いて、表示制御部１０３は、取得したモード通知に基づいて、音声出力モードがＳＰモードであることを特定する。また、表示制御部１０３は、取得した更新通知に基づいて、変更後の音量レベルを特定する。表示制御部１０３は、特定したこれらの情報を用いて音量変更画面を生成して親機表示部１３に表示させる。また、処理信号通信部１１２は、取得したＡＣＫ通知を受話子機２に送信する。
【００８４】
ＡＣＫ通知を受信した受話子機２の処理信号通信部２１２は、該ＡＣＫ通知をモード特定部２２２に出力する。モード特定部２２２は、現在の音声出力モードをＳＰモードと特定し、ＳＰモードを示すモード通知、および、受信したＡＣＫ通知を音量変更部２２３に出力する。音量変更部２２３は、モード通知に従ってスピーカ音量テーブル２４２を読み出し、変更部２０２が保持していたキー押下情報が示す操作内容に従って、音量レベルを変更する（この例の場合、音量レベルを１段階下げる）。そして、更新通知を表示制御部２０３に出力する。
【００８５】
続いて、表示制御部２０３は、取得した更新通知に基づいて、音声出力モードがＥＰモードであること、および、変更後の音量レベルを特定し、音量変更画面を生成して子機表示部２３に表示させる。
【００８６】
以上により、親機１と受話子機２との両方において、ＳＰモードにおける音量レベル（スピーカ２６から出力される通話音声の音量レベル）が１段階小さくなったことが認識され、ＳＰモードにおける音量レベルが１段階小さくなったことを示す音量変更画面が表示される。
【００８７】
（電話機１００が実行する処理の流れ）
次に、電話機１００が実行する音量調整画面表示処理の流れについて、図７に基づいて説明する。図７は、音量調整画面表示処理の流れの一例を示すフローチャートである。なお、図７は、図６で示したように、ユーザがオフフックをしたことにより、受話子機２を用いて通話を行なう場合の、親機１の処理の流れを示している。受話子機２を用いずに通話を行なう例（換言すれば、親機ＳＰモードで通話を行なう例）については後述する。
【００８８】
まず、親機１の処理信号通信部１１２は、受話子機２からのモード通知および音量レベルを示す情報の受信を待機している（ステップＳ１、以下「ステップ」を省略）。モード通知および音量レベルを示す情報を受信すると（Ｓ１でＹＥＳ）、処理信号通信部１１２は、受信した音量レベルを子機音量レベル１４３として親機記憶部１４に記憶し、処理信号通信部１１２からモード通知を取得したモード変更部１２１は通知されたモードを記憶する（Ｓ２）。具体的には、モード変更部１２１は、取得したモード通知に従って、現行モード１４１が示す音声出力モードを変更する。一方、モード通知および音量レベルを受信しない場合（Ｓ１でＮＯ）、音量調整画面表示処理はＳ２を省略してＳ３に進む。
【００８９】
また、変更部１０２（具体的には、モード特定部１２２）は、親機操作部１２の音量調整キーが押下されたことを示す操作信号、または、受話子機２から送信されたキー押下通知のいずれかを待機する状態となっている（Ｓ３、Ｓ５）。なお、音量調整キーが押下されたことを示す操作信号を取得した場合（Ｓ３でＹＥＳ）、変更部１０２は操作信号に応じたキー押下情報を一時的に保持するとともに、キー押下通知を処理信号通信部１１２に出力する。処理信号通信部１１２は、取得したキー押下通知を受話子機２に送信する（Ｓ４）。そして、処理信号通信部１１２は、受話子機２でキー押下通知に従って音量レベルの変更が行われたことを示すＡＣＫ通知の受信を待機する状態となる。ＡＣＫ通知を受信すると、処理信号通信部１１２は、該ＡＣＫ通知を変更部１０２に出力する。なお、処理信号通信部１１２が受話子機２からキー押下通知を受信し、該通知を変更部１０２が取得した場合（Ｓ５でＹＥＳ）、Ｓ４の処理は省略される。また、音量変更キーの押下を受け付けていない場合（Ｓ３でＮＯ）で、受話子機２からキー押下通知を受信していない場合（Ｓ５でＮＯ）、音量調整画面表示処理はＳ１に戻る。
【００９０】
続いて、変更部１０２のモード特定部１２２は、現行モード１４１を読み出し、現在の音声出力モードを特定する。そして特定したモード通知を音量変更部１２３に出力する。なお、キー押下通知を受信している場合、モード特定部１２２は、モード通知とともにキー押下通知を音量変更部１２３に出力する。音量変更部１２３は、子機音量レベル１４３を読み出し、取得したキー押下通知、または変更部１０２が保持しているキー押下情報に応じて子機音量レベル１４３が示す音量レベルを変更する（Ｓ６）。なお、上述したように、この音量レベルの変更は、音量変更画面の表示のための変更であり、受話子機２から出力される通話音声の音量を変更するための変更ではない。そして、音量変更部１２３は、子機音量レベル１４３を更新したことを示す更新通知と、取得したモード通知とを表示制御部１０３に出力する。
【００９１】
表示制御部１０３は、取得したモード通知がＥＰモードを示すか、またはＳＰモードを示すかを判定する（Ｓ７）。モード通知がＥＰモードを示すと判定した場合（Ｓ７でＥＰ）、表示制御部１０３は受話音量の音量レベルを示す画面を親機表示部１３に表示させる（Ｓ８、音量変更表示ステップ）。具体的には、子機音量レベル１４３から変更後の（現在の）音量レベルを特定し、該音量レベルを示す音量レベル３２を表示データ１４４から読み出す。また、変更した音量レベルが、レシーバ２５から出力される通話音声の音量レベルであることを示すテキスト３１を読み出す。そして、図４の（ｂ）に示す、テキスト３１および音量レベル３２を含む画面を親機表示部１３に表示させる。
【００９２】
一方、モード通知がＳＰモードを示すと判定した場合（Ｓ７でＳＰ）、表示制御部１０３はスピーカ音量の音量レベルを示す画面を親機表示部１３に表示させる（Ｓ９、音量変更表示ステップ）。具体的には、子機音量レベル１４３から変更後の（現在の）音量レベルを特定し、該音量レベルを示す音量レベル３２を表示データ１４４から読み出す。また、変更した音量レベルが、スピーカ２６から出力される通話音声の音量レベルであることを示すテキスト３４を読み出す。そして、図４の（ｄ）に示す、テキスト３４および音量レベル３２を含む画面を親機表示部１３に表示させる。
【００９３】
なお、表示制御部１０３は、Ｓ８およびＳ９で親機表示部１３に表示させた画面（音量変更画面）を、所定時間経過後に、通話中であることを示す画面（図４の（ａ）および（ｂ）参照）に変更する。そして、電話機１００は、上述したＳ１〜Ｓ９までの処理を、通話終了（Ｓ１０でＹＥＳ）となるまで繰り返す。
【００９４】
（親機ＳＰモードを含めた動作）
続いて、親機ＳＰモードを含めた電話機１００の動作について、図８および図９に基づいて説明する。図８は、親機ＳＰモードを含む、親機１と、受話子機２との情報のやり取り、および処理の流れの一例を示すシーケンス図である。また、図９は、音量変更画面の別の例を示す図である。
【００９５】
まず、親機ＳＰモードを含む、親機１と受話子機２との情報のやり取りについて、図８に基づいて説明する。なお、図８の「オフフック（通話開始）」から「音声出力モード切替キー押下」までについては、図６と同様であるため、ここでの説明を省略する。
【００９６】
親機１において、音声出力モード切替キー（換言すれば、親機ＳＰモードを有効にするボタンＢ４）が押下されたとき、親機１のモード変更部１２１は、現行モードをＥＰモードから親機ＳＰモードへ変更する。これにより、音声信号通信部１１１は、音声信号の出力先を親機通信部１５から音声入出力制御部１０４に変更し、以降の通話音声がスピーカ１６から出力されるようになる。また、モード変更部１２１は、親機ＳＰモードを示すモード通知を表示制御部１０３に出力する。表示制御部１０３は、取得したモード通知に応じて、スピーカピクト（図４に示すピクト３３）を親機表示部１３に表示させる。
【００９７】
続いて、図示のように、親機操作部１２の音量調整キーのうち、音量を下げるキーが押下されたとする。このとき、親機１のモード特定部１２２は、現在の音声出力モードを親機ＳＰモードと特定し、親機ＳＰモードを示すモード通知を音量変更部１２３に出力する。音量変更部１２３は、スピーカ音量テーブル１４２を読み出し、変更部１０２が保持していたキー押下情報が示す操作内容に従って、音量レベルを変更する（この例の場合、音量レベルを１段階下げる）。そして、更新通知を表示制御部１０３に出力する。
【００９８】
続いて、表示制御部１０３は、取得した更新通知に基づいて、音声出力モードが親機ＳＰモードであること、および、変更後の音量レベルを特定し、音量変更画面を生成して親機表示部１３に表示させる。
【００９９】
以上により、親機１において、親機ＳＰモードにおける音量レベルが１段階小さくなったことを示す音量変更画面が表示される。
【０１００】
なお、図示してはいないが、着呼時にオフフックに代えて、ボタンＢ４を押下することにより通話を開始した場合の処理について説明する。この場合、親機１（具体的には、変更部１０２）は、親機ＳＰモードを示すモード通知と、スピーカ音量テーブル１４２から特定可能である、スピーカ音量レベルとを処理信号通信部１１２に出力する。また、モード変更部１２１は、現行モード１４１を親機ＳＰモードとする。
【０１０１】
なお、上述した実施形態１では、ＳＰモードにおける音量変更画面と、親機ＳＰモードにおける音量変更画面とは、同じテキスト３４、すなわち「スピーカ音量レベル」というテキストを含むものとして説明した。しかしながら、これらのモードにおける音量変更画面は上述した例に限定されない。具体的には、ＳＰモードにおける音量変更画面と、親機ＳＰモードにおける音量変更画面とは、それぞれ異なるテキストを含むものであってもよい。該テキストは、ＳＰモードと親機ＳＰモードとを区別することができる者であれば特に限定されないが、例えば、図９に示すものであってもよい。
【０１０２】
すなわち、図９の（ａ）に示すように、ＳＰモードにおける音量変更画面は、「子機スピーカ音量」というテキスト３４ａを含むものであってもよい。また、図９の（ｂ）に示すように、親機ＳＰモードにおける音量変更画面は、「親機スピーカ音量」というテキスト３４ｂを含むものであってもよい。これにより、ユーザは音量変更画面を見るだけで、音量レベルが変更された音声出力デバイスが、スピーカ１６であるのか、またはスピーカ２６であるのかを認識することができる。
【０１０３】
〔実施形態２〕
本発明の他の実施形態について、図１、および図１０〜図１３に基づいて説明すれば、以下のとおりである。なお、説明の便宜上、前記実施形態にて説明した部材と同じ機能を有する部材については、同じ符号を付記し、その説明を省略する。
【０１０４】
（本実施形態の概要）
まず、本実施形態に係る電話機１００が実行する処理の概要について、図１０に基づいて説明する。図１０は、電話機１００が実行する処理の概要を示す画面遷移図である。
【０１０５】
本実施形態に係る電話機１００は、所定の音量値の範囲（第２の数値範囲）の最小値がＥＰモードの所定の音量値の範囲（第１の数値範囲）の最小値より大きく、最大値が、ＥＰモードの所定の音量値の範囲（第１の数値範囲）の最大値より大きいモードである音量大モード（第２の音量変更モード）を有する。すなわち、電話機１００において音量大モードが有効である場合、音量レベルが同じであっても、ＥＰモードより大きい音量で音声が出力される。また、電話機１００の親機操作部１２および子機操作部２２は、ＥＰモードにおいて音量大モードの有効と無効とを切替える音量大キーを含む。例えば、音量大キーは図３に示すボタンＢ２およびｂ３であるが、この例に限定されるものではない。
【０１０６】
ＥＰモードでの通話中、すなわち図１０の（ａ）に示す画面が表示された状態で、電話機１００のユーザが音量大キーを押下すると、音量大モードが有効となり、レシーバ２５から出力される通話音声の音量が大きくなる。電話機１００は、この処理とともに、親機表示部１３に音量大モードが有効であることを示すピクト３５を表示させる（図１０の（ｂ）参照）。一方、音量大モードが有効である状態で電話機１００のユーザが音量大キーを押下すると、音量大モードが無効となり、図１０の（ａ）に示す画面が再度表示される。換言すれば、電話機１００のユーザは音量大キーを押下することにより、音量大モードと、通常音量モード（第１の音量変更モード）とを切り替えることができる。
【０１０７】
音量大モードを有効とした状態での通話中、すなわち図７の（ｂ）に示す画面が表示された状態で、電話機１００のユーザが音量調整キーを押下すると、押下されたボタンに従って、レシーバ２５から出力される通話音声の音量が大きく、または小さくなる。なお、この音量の調整は、音量大モードにおける音量値の範囲内（数値範囲内）で行われる。電話機１００は、この処理とともに、図７の（ｄ）に示す音量変更画面を親機表示部１３に表示させる。
【０１０８】
図７の（ｄ）に示すように、音量大モードでの音量変更画面は、「受話音量」と記載されたテキスト３１と、変更後の音量を示す音量レベル３２ａと、ピクト３５とを含む。図７の（ｄ）に示す音量レベル３２ａは、図７の（ｃ）に示す音量レベル３２、すなわち、ＥＰモードにおいて音量大モードが無効である場合の音量変更画面の音量レベル３２と異なり、音量レベルを示す四角形の高さが高くなっている。このように、音量大モードが有効である場合に、無効である場合の音量レベル３２と異なる態様の画像を表示させることで、音量大モードの音量値の範囲で音量を変更したことをユーザに認識させることができる。
【０１０９】
なお、図７の（ｄ）において、ピクト３５を表示させることは必須ではない。ピクト３５が表示されない構成であっても、音量大モードにおける音量変更画面には、音量大モードが無効である場合の音量レベル３２と異なる態様の音量レベル３２ａが表示されるため、ユーザは変更された音量が音量大モードにおける通話音声の音量であることを認識することができる。
【０１１０】
また、図１０に示す各画面は、子機表示部２３にも表示されてもよい。また、子機表示部２３に表示される画面は、図１０に示す各画面と同内容の画面であれば、図１０に示す画面と異なっていてもよい。ただし音量変更画面は、少なくとも、音声を出力している音声出力デバイスを特定する情報（テキスト）と、変更後の音量を示す情報（音量レベル）とを含む。
【０１１１】
（本実施形態特有の要部構成）
次に、本実施形態特有の要部構成について図１に基づいて説明する。まず、本実施形態に係るモード変更部１２１は、音量大モードを有効または無効にする操作信号を取得すると、現行モード１４１を読み出し、現在の音声出力モードがＥＰモードであるか否かを判定する。そして、ＥＰモードである場合、音量大モードを示すフラグを有効または無効にする。すなわち、本実施形態に係る現行モード１４１は、ＥＰモードを示す情報に、音量大モードを示すフラグがさらに対応付けられている。これは、現行モード２４１についても同様である。そして、音量大モードを有効または無効としたことを示すモード通知を、処理信号通信部１１２および表示制御部１０３に出力する。なお、モード変更部１２１は、現在の音声出力モードがＳＰモードまたは親機ＳＰモードである場合、処理を終了する。すなわち、本実施形態に係る電話機１００は、音声出力モードがＳＰモードまたは親機ＳＰモードである場合、音量大モードを有効にしない（換言すれば、ＳＰモードおよび親機ＳＰモードには、音量大モードが存在しない）。
【０１１２】
また、本実施形態に係るモード変更部１２１は、音量大モードを有効または無効にする処理信号を取得する（すなわち、受話子機２から受信した、音量大モードを示すモード通知、または、通常のＥＰモードを示すモード通知を取得する）と、現行モード１４１を読み出し、音量大モードを示すフラグを有効または無効にし、取得したモード通知を表示制御部１０３に出力する。そして、音量大モードを有効または無効としたことを示すＡＣＫ通知を生成し、処理信号通信部１１２に出力する。
【０１１３】
本実施形態に係る処理信号通信部１１２は、音量大モードを有効または無効としたことを示すモード通知またはＡＣＫを取得すると、該モード通知またはＡＣＫ通知を、親機通信部１５を介して受話子機２に送信する。また、処理信号通信部１１２は、受話子機２から音量大モードを有効または無効としたことを示すＡＣＫ通知とともに、音量大モードにおける現在の受話音量レベルを示す情報を受信すると、該情報を子機音量レベル１４３として親機記憶部１４に記憶する。
【０１１４】
本実施形態に係る表示制御部１０３は、モード変更部１２１から、音量大モードを有効または無効にするモード通知を取得すると、該モード通知に従って、ピクト３５（図１０参照）を表示または非表示とする。具体的には、モード通知が音量大モードを無効とする通知である場合、ピクト３５を非表示とする。一方、モード通知が音量大モードを有効とする通知である場合、ピクト３５を親機表示部１３に表示させる。なお、表示制御部１０３による音量変更画面の表示処理は、音量大モードが有効である場合に、音量レベル３２が音量レベル３２ａに置き換わる他は、実施形態１で説明した処理と同様であるため、ここでの説明を省略する。また、本実施形態に係る表示制御部２０３の処理についても、モード通知の出力元がモード変更部２２１に変わる他は、上述した表示制御部１０３と同様である。
【０１１５】
本実施形態に係るモード変更部２２１は、音量大モードを有効または無効にする操作信号を取得すると、現行モード２４１を読み出し、現在の音声出力モードがＥＰモードであるか否かを判定する。そして、ＥＰモードである場合、音量大モードを示すフラグを有効または無効にする。そして、音量大モードを有効または無効としたことを示すモード通知を、処理信号通信部１１２および表示制御部１０３に出力する。なお、モード変更部１２１は、現在の音声出力モードがＳＰモードである場合、処理を終了する。
【０１１６】
また、本実施形態に係るモード変更部２２１は、音量大モードを有効または無効にする処理信号を取得する（すなわち、親機１から受信した、音量大モードを示すモード通知、または、通常のＥＰモードを示すモード通知を取得する）と、現行モード２４１を読み出し、音量大モードを示すフラグを有効または無効にし、取得したモード通知を表示制御部２０３に出力する。そして、音量大モードを有効または無効としたことを示すＡＣＫ通知を生成し、処理信号通信部２１２に出力する。
【０１１７】
本実施形態に係る変更部２０２は、音量大モードを有効または無効にする操作信号または処理信号を取得すると、受話音量テーブル２４３から対応する受話音量テーブルを読み出す。すなわち、操作信号または処理信号が、音量大モードを有効とするものである場合、音量大モードに対応する受話音量テーブルを読み出す。一方、操作信号または処理信号が、音量大モードを無効とするものである場合、通常のＥＰモードに対応する受話音量テーブルを読み出す。そして、読み出した受話音量テーブル２４３から、現在の受話音量レベルを特定し、処理信号通信部２１２に出力する。
【０１１８】
ここで、本実施形態に係る受話音量テーブル２４３の詳細について、図１１に基づいて説明する。図１１は、本実施形態に係る受話音量テーブル２４３のデータ構造の一例を示す図である。図示のように、本実施形態に係る受話音量テーブル２４３は、２つのテーブルを含む。図１１の（ａ）に示すテーブルは、音量大モードが無効である場合の受話音量テーブル２４３ａであり、図１１の（ｂ）に示すテーブルは、音量大モードが有効である場合の受話音量テーブル２４３ｂである。なお、受話音量テーブル２４３ａは、実施形態１にて説明した受話音量テーブル２４３（図５の（ｂ）参照）と同様であるため、ここでの説明を省略する。
【０１１９】
受話音量テーブル２４３ｂは、そのデータ構造は受話音量テーブル２４３ａと同様である。ただし、受話音量テーブル２４３ｂでは、各受話音量レベルに対応付けられている音量値が、受話音量テーブル２４３ａにおいて、同じ受話音量レベルに対応付けられている音量値より大きい（図示の例では、全ての音量レベルにおいて、１０ｄＢ大きいが、この例に限定されるものではない）。例えば、受話音量テーブル２４３ａにおいて、受話音量レベル「３」に対応付けられている音量値は「５４」である。一方、受話音量テーブル２４３ｂにおいて、受話音量レベル「３」に対応付けられている音量値は「６４」であり、受話音量テーブル２４３ａにおいて受話音量レベル「３」に対応付けられている音量値より大きい。換言すれば、受話音量テーブル２４３ｂは、音量値の範囲の最小値が、受話音量テーブル２４３ａの音量値の範囲の最小値より大きく、音量値の範囲の最大値が、受話音量テーブル２４３ａの音量値の範囲の最大値より大きくなっている。これにより、本実施形態に係る電話機１００（具体的には、受話子機２の音声入出力制御部２０４）は、音量大モードが有効である場合、音量大モードが無効である場合に比べて大きい音量で、レシーバ２５から通話音声を出力させることができる。
【０１２０】
本実施形態に係る音量変更部２２３は、音量大モードが無効である場合において、受話音量テーブル２４３ａにおける音量レベルを変更すると、受話音量テーブル２４３ｂ（すなわち、音量大モード時に使用する受話音量テーブル）における音量レベルも、同様に変更する。一方、音量変更部２２３は、音量大モードが有効である場合において、受話音量テーブル２４３ｂにおける音量レベルを変更すると、受話音量テーブル２４３ａ（すなわち、音量大モードが無効である場合に使用する受話音量テーブル）における音量レベルも同様に変更する。
【０１２１】
つまり、受話音量テーブル２４３ａおよび受話音量テーブル２４３ｂは、常に同じ音量レベルのレコードにおいて、現在の音量レベルを示すフラグである「○」が対応付けられている。上述したように、受話音量テーブル２４３ｂにおいて、ある音量レベルに対応付けられている実際の音量値は、受話音量テーブル２４３ａにおいて同じ音量レベルに対応付けられている音量値より大きい。そのため、上記のように、いずれかの受話音量テーブル２４３において音量レベルを変更したとき、もう一方の受話音量テーブルでも同様に音量レベルを変更することで、音量大モードを有効にしたとき、実際に出力される通話音声の音量が必ず大きくなる。また、音量大モードを無効にしたとき、実際に出力される通話音声の音量が必ず小さくなる。
【０１２２】
本実施形態に係る処理信号通信部２１２は、音量大モードを有効または無効としたことを示すモード通知またはＡＣＫ通知、および、現在の音量レベルを示す情報を取得すると、該通知および情報を、子機通信部２１を介して親機１に送信する。これにより、親機１は、レシーバ２５から出力される、現在の通話音声の音量レベルを認識することができる。
【０１２３】
（電話機１００が実行する処理の流れ）
次に、本実施形態に係る電話機１００が実行する音量調整画面表示処理について、図１２に基づいて説明する。図１２は、音量調整画面表示処理の流れの一例を示すフローチャートである。なお、図１２に示すＳ１１〜Ｓ１７、およびＳ２１〜Ｓ２２はそれぞれ、実施形態１で説明したＳ１〜Ｓ７、およびＳ９〜Ｓ１０（図７参照）と同様であるため、ここでの説明を省略する。
【０１２４】
表示制御部１０３が、モード通知がＥＰモードを示すと判定した場合（Ｓ１７でＥＰ）、表示制御部１０３はさらに、モード通知を参照して、音量大モードが有効であるか否かを判定する（Ｓ１８）。音量大モードが有効であると判定した場合（Ｓ１８でＹＥＳ）、表示制御部１０３は受話音量（音量大モード有効）の音量レベルを示す画面を親機表示部１３に表示させる（Ｓ２０）。具体的には、子機音量レベル１４３から変更後の（現在の）音量レベルを特定し、該音量レベルを示す音量レベル３２ａを表示データ１４４から読み出す。また、変更した音量レベルが、レシーバ２５から出力される通話音声の音量レベルであることを示すテキスト３１を読み出す。そして、図１０の（ｄ）に示す、テキスト３１および音量レベル３２ａを含む画面を親機表示部１３に表示させる。
【０１２５】
一方、音量大モードが無効であると判定した場合（Ｓ１８でＮＯ）、表示制御部１０３は受話音量（音量大モード無効）の音量レベルを示す画面を親機表示部１３に表示させる（Ｓ１９）。具体的には、子機音量レベル１４３から変更後の（現在の）音量レベルを特定し、該音量レベルを示す音量レベル３２を表示データ１４４から読み出す。また、変更した音量レベルが、レシーバ２５から出力される通話音声の音量レベルであることを示すテキスト３１を読み出す。そして、図１０の（ｃ）に示す、テキスト３１および音量レベル３２を含む画面を親機表示部１３に表示させる。
【０１２６】
〔実施形態３〕
（実施形態２の変形例）
次に、本実施形態の変形例について、図１３に基づいて説明する。図１３は、音量レベルのバリエーションを示す図である。
【０１２７】
本実施形態に係る電話機１００の親機表示部１３に表示される音量レベルは、図１３の（ａ）に示す音量レベル３２ｂであってもよい。この例の場合に、電話機１００において音量大モードが有効であるときの音量レベルは、図１３の（ｂ）に示すように、各レベルを示す図形の高さが高くなっている音量レベル３２ｃとなる。なお、図１３の（ａ）に示す音量レベル３２ｂは、実施形態１にて音量レベル３２に代えて使用されてもよい。
【０１２８】
また、本実施形態に係る電話機１００の親機表示部１３に表示される音量レベルは、図１３の（ｃ）および（ｄ）に示す音量レベル３２ｄであってもよい。すなわち、表示制御部１０３は、音量大モードが無効である場合、図１３の（ｃ）に示すように、音量レベル３２ｄの「小」側の５つの四角形のみを用いて音量レベルをユーザに示す。一方、表示制御部１０３は、音量大モードが有効である場合、図１３の（ｄ）に示すように、音量レベル３２ｄの「大」側の５つの四角形のみを用いて音量レベルをユーザに示す。
【０１２９】
なお、図１３で示す音量レベル３２ｂ〜３２ｄは一例であり、音量大モードが有効または無効である場合の音量レベルは、異なる態様の画像であればよく、図示の例に限定されない。また、図１３に示す各画面は、子機表示部２３に表示されてもよい。
【０１３０】
また、上述したように、本実施形態に係る電話機１００は、ＥＰモードにおいてのみ音量大モードの有効および無効の切り替えが可能であり、ＳＰモードおよび親機ＳＰモードにおいては音量大モードを有効とすることができない構成となっている。これは、ＳＰモードおよび親機ＳＰモードにおいて音量大モードを有効とすると、ハウリングによって通話音声が聞き難いものとなってしまうおそれがあるためである。ただし、本実施形態に係る電話機１００はこの構成に限定されず、ＳＰモードおよび親機ＳＰモードにおいても音量大モードの有効および無効を切り替えることができる構成であってもよい。なお、この例の場合、電話機１００は、通話音声のハウリングを抑える構成を備えることが好ましい。
【０１３１】
〔実施形態４〕
本発明のさらに別の実施形態について、図１、図１４〜図１６に基づいて説明すれば、以下のとおりである。なお、説明の便宜上、前記実施形態にて説明した部材と同じ機能を有する部材については、同じ符号を付記し、その説明を省略する。
【０１３２】
（本実施形態の概要）
まず、本実施形態に係る電話機１００が実行する処理の概要について、図１、図１４および図１５に基づいて説明する。図１４および図１５は、電話機１００が実行する処理の概要を示す画面遷移図である。
【０１３３】
本実施形態に係る電話機１００は、図１に示す通話相手の電話機４（以下、電話機４）の音声出力部４１から出力される通話音声（以下、相手側通話音声）の音量を調整するモード（以下、相手受話音量変更モード）を有し、該モードが有効であるとき、相手側通話音声の音量を調整することができる。
【０１３４】
具体的には、図１４の（ａ）に示す画面が表示された状態（すなわち、電話機１００を用いた通話を行なっている状態）において、相手受話音量変更モードを開始するためのユーザ操作を受け付けると、電話機１００は相手受話音量変更モードを開始する。なお、本実施形態において、該ユーザ操作は、相手受話音量変更キーの押下であるが、相手受話音量変更モードを開始するユーザ操作はこの例に限定されない。また例えば、相手受話音量変更キーは図３に示すボタンＢ３およびｂ４であるが、この例に限定されるものではない。
【０１３５】
相手受話音量変更キーが押下されたことにより、相手受話音量変更モードが開始されると、親機表示部１３には図１４の（ｂ）に示す画面が表示される。該画面は、相手側通話音声の音量を大きくする場合の操作と、小さくする場合の操作とを示すテキストが表示された、いわゆるガイダンス画面である。ユーザは、このガイダンス画面を提示されることにより、相手側通話音声の音量の調整方法を認識することができる。
【０１３６】
なお、図示の例では、相手側通話音声の音量を大きくする場合、テンキーを「１」、「２」の順番で押下し、相手側通話音声の音量を小さくする場合、テンキーを「１」、「３」の順番で押下することが示されている。しかしながら、相手側通話音声の音量を調整するための操作はこの例に限定されない。
【０１３７】
ユーザが図１４の（ｂ）に示すガイダンス画面のとおりの操作を行うと、親機表示部１３には、図１４の（ｃ）または図１４の（ｄ）に示す画面が表示される。該画面は、相手側通話音声の音量を調整する処理を実行するか否かをユーザに確認するテキストが表示された、いわゆる変更確認画面である。この変更確認画面を表示させることにより、ユーザが誤って相手側通話音声を大きくしたり、または小さくしたりしてしまうことを防ぐことができる。図示の変更確認画面は、相手側通話音声の音量の変更を了承する了承操作と、相手側通話音声の音量の変更を拒否する拒否操作とを示すテキストが表示されている。なお、図示の例では、了承操作がテンキーの「１」の押下であり、拒否操作がテンキーの「２」の押下であるが、了承操作および拒否操作はこの例に限定されるものではない。
【０１３８】
電話機１００は、ユーザの了承操作を受け付けると、ＤＴＭＦ（Dual Tone Multi Frequency）信号（音量変更信号）で相手側通話音声の音量を変更するための情報を電話機４（相手電話機）に送信する。すなわち電話機１００は、ユーザの了承操作を受け付けると、相手受話音量変更モードにおいて、テンキーの「１」および「２」がこの順番で押下されたことを示す情報、または、テンキーの「１」および「３」がこの順番で押下されたことを示す情報を電話機４に送信する。これにより、電話機４がＤＴＭＦ信号を受信すると、ＤＴＭＦ信号に含まれる情報に従って、相手側通話音声の音量が大きく、または小さくなる。
【０１３９】
ＤＴＭＦ信号を電話機４に送信すると、電話機１００は、図１５の（ａ）に示すように、その旨を示す画面を親機表示部１３に表示させる。一方、通話相手の電話機は、相手側通話音声の音量を変更すると、変更後の相手側通話音声の音量を示す情報を含むＤＴＭＦ信号（変更後音量信号）を電話機１００へ送信する。該情報は、変更後の相手側通話音声の音量を示すものであれば特に限定されないが、例えば、変更後の相手側通話音声の音量が、５段階中の「３」である場合、「３」、「５」という情報である。
【０１４０】
電話機１００は、電話機４から送信されたＤＴＭＦ信号を受信すると、図１５の（ｂ）に示すように、変更後の相手側通話音声の音量を示す音量変更画面を親機表示部１３に表示させる。該画面は、「通話相手音量」と記載されたテキスト３６と、変更後の音量を示す音量レベル３２とを含む。このように、本実施形態に係る電話機１００は、親機表示部１３にテキスト３６を表示させることにより、電話機４の音声出力部４１から出力される通話音声の音量を変更したことをユーザに認識させることができる。
【０１４１】
なお、図１５の（ａ）に示す画面を親機表示部１３に表示させることは必須ではない。すなわち、本実施形態に係る電話機１００は、ＤＴＭＦ信号を受信するまでは、図１４の（ｃ）または（ｄ）に示す変更確認画面を親機表示部１３に表示させておき、ＤＴＭＦ信号を受信したしたとき、図１５の（ｂ）に示す音量変更画面を親機表示部１３に表示させてもよい。
【０１４２】
また、図１４および図１５に示す各画面は、子機表示部２３にも表示されてもよい。また、子機表示部２３に表示される画面は、図１４および図１５に示す各画面と同内容の画面であれば、図１４および図１５に示す画面と異なっていてもよい。ただし音量変更画面は、少なくとも、音声を出力している音声出力デバイスを特定する情報（テキスト）と、変更後の音量を示す情報（音量レベル）とを含む。
【０１４３】
（本実施形態特有の要部構成）
次に、本実施形態特有の要部構成について図１に基づいて説明する。まず、本実施形態に係る変更部１０２は、相手受話音量変更モードを有効にする操作信号または処理信号を取得した場合、相手受話音量変更モードを開始する。また、変更部１０２は、相手受話音量変更モードを有効または無効にする操作信号または処理信号や、相手受話音量変更モードが有効である場合に、相手側通話音声の音量を調整したり、該調整を了承または拒否したりする操作信号または処理信号を取得すると、表示制御部１０３にその旨を通知する。また、変更部１０２は、相手受話音量変更モードを有効または無効にする操作信号、および、相手受話音量変更モードが有効である場合に、相手側通話音声の音量を調整したり、該調整を了承または拒否したりする操作信号を取得した場合、処理信号通信部１１２にもその旨を通知する。
【０１４４】
なお、本実施形態に係る変更部２０２も同様の処理を行う。すなわち、本実施形態に係る変更部２０２は、相手受話音量変更モードを有効または無効にする操作信号または処理信号や、相手受話音量変更モードが有効である場合に、相手側通話音声の音量を調整したり、音量の調整を了承または拒否したりする操作信号または処理信号を取得すると、表示制御部２０３にその旨を通知する。また、変更部２０２は、相手受話音量変更モードを有効または無効にする操作信号、および、相手受話音量変更モードが有効である場合に、相手側通話音声の音量を調整したり、該調整を了承または拒否したりする操作信号を取得した場合、処理信号通信部２１２にもその旨を通知する。
【０１４５】
本実施形態に係る表示制御部１０３は、変更部１０２から取得した通知に従って、親機表示部１３に表示される表示画面を変更する。具体的には、表示制御部１０３は、相手受話音量変更モードを有効にする旨の通知を取得すると、表示データ１４４から該通知に対応するテキストを読み出し、該テキストを含む表示画面（ガイダンス画面）を生成して親機表示部１３に表示させる（図１４の（ｂ）参照）。
【０１４６】
また、表示制御部１０３は、ガイダンス画面を親機表示部１３に表示させている状態で、相手側通話音声の音量を調整する（音量を大きくする、または小さくする）旨の通知を取得すると、表示データ１４４から該通知に対応するテキストを読み出し、該テキストを含む表示画面（変更確認画面）を生成して親機表示部１３に表示させる（図１４の（ｃ）および（ｄ）参照）。
【０１４７】
また、表示制御部１０３は、処理信号通信部１１２から、ＤＴＭＦ信号を送信したことを示す通知を取得すると、表示データ１４４から該通知に対応するテキストを読み出し、該テキストを含む表示画面を生成して親機表示部１３に表示させる（図１５の（ａ）参照）
また、表示制御部１０３は、処理信号通信部１１２から、変更後の相手側通話音声の音量を示す情報を取得すると、表示データ１４４からテキスト３６を読み出すとともに、取得した情報が示す音量に合致する音量レベル３２を読み出す。そして、読み出したテキスト３６および音量レベル３２から変更後の相手側通話音声の音量を示す音量変更画面を生成し、親機表示部１３に表示させる（図１５の（ｂ）参照）。
【０１４８】
なお、本実施形態に係る表示制御部２０３も同様の処理を行う。すなわち、本実施形態に係る表示制御部２０３は、変更部１０２から取得した通知に従って、表示データ２４４から該通知に対応するテキストを読み出し、上述したガイダンス画面や変更確認画面を生成して、子機表示部２３に表示させる。また、表示制御部２０３は、処理信号通信部２１２から取得した情報に従って、表示データ２４４からテキスト３６、および、該情報が示す音量に合致する音量レベル３２を読み出し、上述した音量変更画面を生成して、子機表示部２３に表示させる。
【０１４９】
本実施形態に係る処理信号通信部１１２は、変更部１０２から取得した通知が、相手受話音量変更モードを有効あるいは無効にする操作信号、または、相手受話音量変更モードが有効である場合に、相手側通話音声の音量を調整する操作信号を取得した旨を示す通知である場合、親機通信部１５を介して、該通知を受話子機２に送信する。
【０１５０】
また、本実施形態に係る処理信号通信部１１２は、変更部１０２から取得した通知が、相手側通話音声の音量の調整を了承する操作信号を取得した旨を示す通知である場合、または、該通知を受話子機２から受信した場合、送受信部１１を介して、相手側通話音声の音量を変更するための情報を含むＤＴＭＦ信号を交換機３に送信する。これにより、該ＤＴＭＦ信号が交換機３を介して電話機４に送信され、電話機４において、相手側通話音声の音量が調整される。処理信号通信部１１２は、ＤＴＭＦ信号を送信すると、その旨を示す通知を表示制御部１０３に出力する。
【０１５１】
また、本実施形態に係る処理信号通信部１１２は、送受信部１１から、電話機４から送信されたＤＴＭＦ信号を取得した場合、該ＤＴＭＦ信号に含まれる、変更後の相手側通話音声の音量を示す情報を表示制御部１０３に出力するとともに、親機通信部１５を介して、受話子機２に送信する。
【０１５２】
また、本実施形態に係る処理信号通信部２１２は、変更部２０２から取得した通知を、子機通信部２１を介して親機１に送信する。また、処理信号通信部２１２は、変更後の相手側通話音声の音量を示す情報を受信した場合、該情報を表示制御部２０３に出力する。
【０１５３】
（電話機１００が実行する処理の流れ）
次に、電話機１００が実行する音量調整画面表示処理の流れについて、図１６に基づいて説明する。図１６は、音量調整画面表示処理の流れの一例を示すフローチャートである。
【０１５４】
まず、変更部１０２は、相手受話音量変更モードの開始操作が行われたことに基づく、該操作を示す操作信号または処理信号を待機する状態となっている（Ｓ３１）。これらの信号を取得した場合（Ｓ３１でＹＥＳ）、変更部１０２は、相手受話音量変更モードを開始し、これらの信号を取得した旨を表示制御部１０３に通知する。そして、表示制御部１０３は、変更部１０２からの通知を受けると、ガイダンス画面（図１４の（ｂ）参照）を親機表示部１３に表示させる（Ｓ３２）。
【０１５５】
続いて、変更部１０２は、表示制御部１０３に通知を出力すると、相手受話音量、すなわち、相手側通話音声の音量の変更操作が行われたことに基づく、該操作を示す操作信号または処理信号を待機する状態となっている（Ｓ３３）。これらの信号を取得した場合（Ｓ３３でＹＥＳ）、変更部１０２は、これらの信号を取得した旨を表示制御部１０３に通知する。そして、表示制御部１０３は、変更部１０２からの通知を受けると、変更内容に応じた変更確認画面（図１４の（ｃ）および（ｄ）参照）を親機表示部１３に表示させる（Ｓ３４）。
【０１５６】
続いて、変更部１０２は、表示制御部１０３に通知を出力すると、変更の了承操作、または拒否操作に基づく、操作信号または処理信号を待機する状態となっている（Ｓ３５およびＳ４０）。変更の了承操作に基づく信号を取得した場合（Ｓ３５でＹＥＳ）、変更部１０２は処理信号通信部１１２にその旨を通知する。そして、処理信号通信部１１２は、変更内容に応じたＤＴＭＦ信号を電話機４へ送信し（Ｓ３６）、表示制御部１０３にその旨を通知する。表示制御部１０３は、該通知を受けて、ＤＴＭＦ信号を送信したことを示す画面を表示する（Ｓ３７）。
【０１５７】
続いて、処理信号通信部１１２は、電話機４からのＤＴＭＦ信号を待機する状態となる（Ｓ３８）。ＤＴＭＦ信号を受信すると（Ｓ３８でＹＥＳ）、処理信号通信部１１２は、該信号に含まれる、変更後の相手側通話音声の音量を示す情報を表示制御部１０３に出力する。表示制御部１０３は、電話機４から出力される通話音声の音量レベル（通話相手音量の音量レベル）を示す画面を親機表示部１３に表示させる（Ｓ３９）。なお、表示制御部１０３は、Ｓ３９で親機表示部１３に表示させた画面（音量変更画面）を、所定時間経過後に、通話中であることを示す画面（図１４の（ａ）参照）に変更する。
【０１５８】
一方、変更の拒否操作に基づく信号を取得した場合（Ｓ４０でＹＥＳ）、音量調整画面表示処理は終了する。具体的には、変更部１０２は、該信号を取得すると、相手受話音量変更モードを終了する。そして、該信号を取得した旨を表示制御部１０３に通知する。表示制御部１０３は、変更部１０２からの通知に従って、通話中であることを示す画面（図１４の（ａ）参照）を親機表示部１３に表示させる。
【０１５９】
〔実施形態５〕
（実施形態４の変形例）
上述した実施形態４では、電話機１００は、親機表示部１３にガイダンス画面が表示された状態で該画面に示された操作を受け付けた場合、変更確認画面を親機表示部１３に表示する構成であった。しかしながら、本実施形態に係る電話機１００において、変更確認画面を表示することは必須ではない。すなわち、電話機１００は、親機表示部１３にガイダンス画面が表示された状態で該画面に示された操作を受け付けた場合、変更確認画面を表示することなく、相手側通話音声の音量を変更するための情報を含むＤＴＭＦ信号を電話機４に送信する構成であってもよい。
【０１６０】
また、実施形態４にて説明した、通話相手の電話機４の音声出力部４１から出力される通話音声の音量を変更する構成の適用例は、親機と無線通信し、親機の受話器として機能する受話子機２を備える電話機１００に限定されない。具体的には、電話機本体とコードで接続された受話器を備える電話機に適用してもよい。
【０１６１】
〔実施形態６〕
（各実施形態に共通の変形例）
上述した各実施形態では、音量調整キーが押下された場合、親機１は受話子機２に、音量を大きくするキーと、音量を小さくするキーとのいずれが押下されたかを示すキー押下通知を送信する構成であった。また、受話子機２も同様に、キー押下通知を親機１に送信する構成であった。しかしながら、親機１と受話子機２との間で、音量調整キーが押下された場合に送受信される情報はキー押下通知に限定されない。例えば、音量調整キーが押下された場合に、該キーの押下に基づく変更後の音量レベルを特定し、特定した音量レベルを示す情報を送受信する構成であってもよい。
【０１６２】
また、各実施形態に係る電話機１００は、キー押下通知を送信してから所定時間が経過してもＡＣＫ通知を受信しなかった場合、音量レベルの変更ができなかったことを示す画面を親機表示部１３や子機表示部２３に表示させてもよいし、音量レベルの変更ができなかったことを示す音声を、スピーカ１６やスピーカ２６から出力させてもよい。
【０１６３】
このような構成にすることにより、音量レベルの変更ができなかった場合に、親機１に記憶されている音量レベルと、受話子機２に記憶されている音量レベルとが一致しないという状況を防ぐことができる。
【０１６４】
また、上述した各実施形態に係る電話機１００では、受話子機２が、親機１との通信圏外に移動したとき、音量調整キーが押下されても、音量レベルの変更を行わない構成であることが好ましい。具体的には、音量変更部１２３および音量変更部２２３は、音量調整キーが押下されたことを示す操作信号を取得したとき、通信制御部１０１に、親機１と受話子機２とが通信可能であるか否かを判定させる。そして、通信不可能であると判定された場合、音量レベルの変更を行わず、処理を終了する。これにより、親機１に記憶されている音量テーブルの音量レベルと、受話子機２に記憶されている音量テーブルの音量レベル（すなわち、実際に出力される通話音声の音量レベル）とが一致しないという状況を防ぐことができる。
【０１６５】
なお、通信不可能であると判定された場合、音量変更部１２３および音量変更部２２３はそれぞれ、表示制御部１０３および表示制御部２０３にその旨を通知し、音量レベルの変更ができなかったことを示す画面を親機表示部１３や子機表示部２３に表示させてもよい。また、音量変更部２２３は、通信不可能である旨を音声入出力制御部１０４や音声入出力制御部２０４に出力し、音量レベルの変更ができなかったことを示す音声を、スピーカ１６やスピーカ２６から出力させてもよい。
【０１６６】
また、上述した各実施形態では、親機ＳＰモードでは親機１と受話子機２との情報のやり取りを行わない構成を説明したが、本発明の電話機１００はこの例に限定されない。例えば、親機ＳＰモードにおいて、モード通知、キー押下通知、およびＡＣＫ通知を親機１と受話子機２との間で送受信することにより、受話子機２において親機ＳＰモードにおける音量変更画面を表示させてもよい。
【０１６７】
〔実施形態７〕
（ソフトウェアによる実現例）
親機１および受話子機２の制御ブロック（特に親機制御部１０および子機制御部２０に含まれる各部）は、集積回路（ＩＣチップ）等に形成された論理回路（ハードウェア）によって実現してもよいし、ＣＰＵ（Central Processing Unit）を用いてソフトウェアによって実現してもよい。
【０１６８】
後者の場合、親機１および受話子機２は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１６９】
〔まとめ〕
本発明の態様１に係る電話機（電話機１００）は、親機（親機１）と、該親機と無線通信することによって、該親機の受話器として機能する子機（受話子機２）とを含む電話機であって、上記親機、上記子機、および通話相手が使用する電話機（電話機４）のうち、少なくとも１つに設けられた複数の音声出力部（スピーカ１６、レシーバ２５、スピーカ２６、音声出力部４１）のいずれかの音量が変更されたとき、上記音量が変更された上記音声出力部を示す音声出力部情報と、変更後の音量を示す変更後音量情報とを上記親機の表示部（親機表示部１３）に表示させる音量変更表示部（表示制御部１０３）を備える。
【０１７０】
上記の構成によれば、変更後の音量を示す変更後音量情報に加えて、音量の変更対象となる音量変更部を示す音声出力部情報を親機の表示部に表示させる。これにより、ユーザは、どの音声出力部から出力される音声の音量が変更されたのかを、親機の表示部の表示を見るだけで容易に認識することができる。なお、音声出力部情報としては、音声出力部の名称を示すテキストが一例として挙げられる。
【０１７１】
本発明の態様２に係る電話機は、上記態様１において、上記複数の音声出力部は、上記子機に設けられたハンドセット用音声出力部（レシーバ２５）、および、上記子機に設けられたハンズフリー用音声出力部（スピーカ２６）を含んでもよい。
【０１７２】
上記の構成によれば、音声出力部には子機に設けられたハンドセット用音声出力部と、ハンズフリー用音声出力部とが含まれるので、通話相手の音声の音量を変更したとき、ハンドセット用音声出力部またはハンズフリー用音声出力部のいずれかを示す音声出力部情報が表示される。これにより、ハンドセット通話とハンズフリー通話とが可能な電話機において、ユーザは、いずれの音声出力部から出力される通話相手の音声の音量が変更されたのかを、表示部の表示を見るだけで容易に認識することができる。なお、ハンドセット用音声出力部の一例としては、子機に設けられたレシーバが挙げられる。また、ハンズフリー用音声出力部の一例としては、子機に設けられたスピーカが挙げられる。
【０１７３】
本発明の態様３に係る電話機は、上記態様２において、上記子機は、音量を変更する音量変更操作を受け付ける第１の音量変更操作部（子機操作部２２）と、上記第１の音量変更操作部が受け付けた音量変更操作の内容に従って、上記ハンドセット用音声出力部または上記ハンズフリー用音声出力部から出力される音声の音量を変更する第１の音量変更部（音量変更部２２３）と、をさらに備え、上記音量変更表示部は、上記第１の音量変更部によって変更された後の音量を示す上記変更後音量情報を上記親機の表示部に表示させてもよい。
【０１７４】
上記の構成によれば、子機において受け付けた音量変更操作によって、子機から出力される音声の音量を変更し、その変更内容を親機の表示部に表示させる。これにより、ユーザは子機への音量変更操作による音量の変更結果を、親機の表示部で確認することができる。
【０１７５】
本発明の態様４に係る電話機は、上記態様２または３において、上記親機は、音量を変更する音量変更操作を受け付ける第２の音量変更操作部（親機操作部１２）と、上記第２の音量変更操作部が受け付けた音量変更操作の内容を上記子機に通知する操作通知部（処理信号通信部１１２）と、をさらに備え、上記子機は、上記操作通知部から通知された音量変更操作の内容に従って、上記ハンドセット用音声出力部または上記ハンズフリー用音声出力部から出力される音声の音量を変更する第２の音量変更部（音量変更部２２３）をさらに備え、上記音量変更表示部は、上記第２の音量変更部によって変更された後の音量を示す上記変更後音量情報を上記親機の表示部に表示させてもよい。
【０１７６】
上記の構成によれば、親機において受け付けた音量変更操作によって、子機から出力される音声の音量を変更し、その変更内容を親機の表示部に表示させる。これにより、ユーザは親機への音量変更操作によって、子機から出力される音声の音量を変更することができる。
【０１７７】
本発明の態様５に係る電話機は、上記態様２から４のいずれかにおいて、上記子機に設けられた上記音声出力部を変更する出力先変更操作を、上記子機が受け付けたとき、変更後の上記音声出力部が、上記ハンドセット用音声出力部であるか、または上記ハンズフリー用音声出力部であるかを示す通知を、上記親機が上記子機から受信する通知受信部（処理信号通信部１１２）をさらに備え、上記音量変更表示部は、上記通知に応じた上記音声出力部情報を表示させてもよい。
【０１７８】
上記の構成によれば、上記親機が上記子機から受信した、変更後の音声出力部が、ハンドセット用音声出力部であるか、またはハンズフリー用音声出力部であるかを示す通知に応じて、音声出力部情報を表示するので、子機にて通話相手の音声を出力している音声出力部を、正しく認識して、音声出力部情報を表示させることができる。
【０１７９】
本発明の態様６に係る電話機は、上記態様１から５のいずれかにおいて、所定の第１の数値範囲内で音量が変更される第１の音量変更モードと、最小値が上記第１の数値範囲の最小値より大きく、最大値が上記第１の数値範囲の最大値より大きい所定の第２の数値範囲内で音量が変更される第２の音量変更モードとの間で、上記電話機のモードを切り替えるモード変更部（モード変更部１２１）をさらに備え、上記音量変更表示部は、上記モードが上記第１の音量変更モードであるか、または上記第２の音量変更モードであるかに応じた態様で、上記変更後音量情報を表示させてもよい。
【０１８０】
上記の構成によれば、電話機のモードが第１の音量変更モードと、第２の音量変更モードとのいずれであるかに応じた態様で、変更後音量情報を表示させるので、電話機のユーザは、自身が行った音量の変更が、第１の音量変更モードにおける第１の数値範囲内での音量変更であるか、または、第２の音量変更モードにおける第２の数値範囲内での音量変更であるかを、変更後音量情報を見るだけで容易に認識することができる。
【０１８１】
本発明の態様７に係る電話機は、上記態様１から６のいずれかにおいて、上記通話相手が使用する電話機である相手電話機の音声出力部の音量を変更するための音量変更信号を該相手電話機に送信する信号通信部（処理信号通信部１１２）をさらに備えてもよい。
【０１８２】
上記の構成によれば、相手電話機の音声出力部の音量を変更するための音量変更信号を通話相手の電話機に送信するので、通話相手の電話機の音声出力部から出力される、電話機のユーザの音声の音量を、電話機への変更操作で変更することができる。
【０１８３】
本発明の態様８に係る電話機は、上記態様７において、上記信号通信部は、上記音量変更信号に従って変更された、上記相手電話機の音声出力部の変更後の音量を示す変更後音量信号を受信し、上記音量変更表示部は、上記変更後音量信号に応じた上記変更後音量情報を表示させてもよい。
【０１８４】
上記の構成によれば、相手電話機の音声出力部の変更後の音量を示す変更後音量信号を受信し、該信号に応じた変更後音量情報を表示させるので、電話機のユーザは、変更後音量情報を見るだけで相手電話機の音量が変更されたことを認識することができる。
【０１８５】
本発明の態様９に係る電話機の制御方法は、親機と、該親機と無線通信することによって、該親機の受話器として機能する子機とを含む電話機の制御方法であって、上記親機、上記子機、および通話相手が使用する電話機のうち、少なくとも１つに設けられた複数の音声出力部のいずれかの音量が変更されたとき、上記音量が変更された上記音声出力部を示す音声出力部情報と、変更後の音量を示す変更後音量情報とを上記親機の表示部に表示させる音量変更表示ステップ（ステップＳ６、Ｓ８）を含む。上記の構成によれば、本態様に係る電話機の制御方法は、態様１に係る電話機と同様の作用効果を奏する。
【０１８６】
本発明の各態様に係る電話機は、コンピュータによって実現してもよく、この場合には、コンピュータを上記電話機が備える各部（ソフトウェア要素）として動作させることにより上記電話機をコンピュータにて実現させる電話機の制御プログラム、およびそれを記録したコンピュータ読み取り可能な記録媒体も、本発明の範疇に入る。
【０１８７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１８８】
１  親機
２  受話子機（子機）
４  電話機（通話相手の電話機）
１２  親機操作部（第２の音量変更操作部）
１３  親機表示部（親機の表示部）
２２  子機操作部（第１の音量変更操作部）
２５  レシーバ（音声出力部）
２６  スピーカ（音声出力部）
４１  音声出力部
１００  電話機
１０３  表示制御部（音量変更表示部）
１１２  処理信号通信部（操作通知部、通知受信部、信号通信部）
１２１  モード変更部
２２３  音量変更部（第１の音量変更部、第２の音量変更部）
Ｓ６  音量変更表示ステップ
Ｓ８  音量変更表示ステップ
【図１】
0006699968.tif 000002
【図２】
0006699968.tif 000003
【図３】
0006699968.tif 000004
【図４】
0006699968.tif 000005
【図５】
0006699968.tif 000006
【図６】
0006699968.tif 000007
【図７】
0006699968.tif 000008
【図８】
0006699968.tif 000009
【図９】
0006699968.tif 000010
【図１０】
0006699968.tif 000011
【図１１】
0006699968.tif 000012
【図１２】
0006699968.tif 000013
【図１３】
0006699968.tif 000014
【図１４】
0006699968.tif 000015
【図１５】
0006699968.tif 000016
【図１６】
0006699968.tif 000017